(57)【要約】  アンテナユニット（１１０，１２０，１３０，１４０）は、互いに通信可能な通信路を形成する。制御局（１０１）は、アンテナユニット（１１０，１２０，１３０，１４０）のうちの一部のアンテナユニット（１２０）と信号線（１０２）を介して接続されている。また、制御局（１０１）は、信号線（１０２）およびアンテナユニット（１１０，１２０，１３０，１４０）の間の通信路を介して、アンテナ（１１６，１２６，１３６，１４６）のうちの少なくともいずれかによる無線通信を行う。
2017126075.tif 000002
【特許請求の範囲】
【請求項１】
それぞれアンテナを有する複数のアンテナユニットと、
前記複数のアンテナユニットを互いに通信可能とする通信路と、
前記複数のアンテナユニットのうちの一部のアンテナユニットと信号線を介して接続され、前記信号線および前記通信路を用いて、前記複数のアンテナユニットの前記アンテナのうちの少なくともいずれかによる無線通信を行う制御局と、
を含むことを特徴とする基地局装置。
【請求項２】
前記複数のアンテナユニットのそれぞれは、他のアンテナユニットと接続可能な複数のインタフェースと、前記複数のインタフェースと接続されたルータと、を有し、
前記通信路は、前記複数のアンテナユニットのそれぞれが前記複数のインタフェースのうちの他のアンテナユニットと接続されたインタフェースおよび前記ルータによりルーチングを行うことによって形成される、
ことを特徴とする請求項１に記載の基地局装置。
【請求項３】
前記複数のアンテナユニットのうちの少なくとも前記一部のアンテナユニットは、前記複数のインタフェースと異なるインタフェースであって前記制御局と信号線を介して接続可能なインタフェースを有し、前記ルータが前記異なるインタフェースと接続されていることを特徴とする請求項２に記載の基地局装置。
【請求項４】
前記制御局は、前記無線通信によって送信するデータを含む送信信号を、前記信号線および前記通信路を用いて、前記複数のアンテナユニットのうちの前記無線通信の送信に用いるアンテナを有するアンテナユニットへ送信し、
前記無線通信の送信に用いるアンテナを有するアンテナユニットは、前記制御局から送信された送信信号に含まれる前記データを自ユニットの前記アンテナから無線送信する、
ことを特徴とする請求項１〜３のいずれか一つに記載の基地局装置。
【請求項５】
前記制御局は、前記データと、前記無線通信の送信に用いるアンテナを特定可能な識別情報と、を含む前記送信信号を送信し、
前記複数のアンテナユニットは、前記送信信号を、前記識別情報に基づくルーチングによって、前記無線通信の送信に用いるアンテナを有するアンテナユニットへ転送する、
ことを特徴とする請求項４に記載の基地局装置。
【請求項６】
前記無線通信は、前記複数のアンテナユニットの前記アンテナのうちの複数のアンテナを同時に用いた無線送信であり、
前記制御局は、前記複数のアンテナを特定可能な識別情報を含む前記送信信号を送信する、
ことを特徴とする請求項５に記載の基地局装置。
【請求項７】
前記複数のアンテナユニットのうちの前記無線通信の受信に用いるアンテナを有するアンテナユニットは、自ユニットの前記アンテナにより無線受信した受信信号を、前記通信路および前記信号線を用いて前記制御局へ送信し、
前記制御局は、前記無線通信の受信に用いるアンテナを有するアンテナユニットから送信された前記受信信号の処理を行う、
ことを特徴とする請求項１〜６のいずれか一つに記載の基地局装置。
【請求項８】
前記無線通信は、前記複数のアンテナユニットの前記アンテナのうちの複数のアンテナを同時に用いた無線受信であり、
前記複数のアンテナユニットは、前記受信信号を、前記制御局または前記一部のアンテナユニットを送信先とするルーチングを用いて前記制御局へ転送し、
前記複数のアンテナユニットのうちの、前記複数のアンテナに含まれる各アンテナによって同時に受信された複数の受信信号が入力されるアンテナユニットは、前記複数の受信信号を合成し、合成した受信信号を前記制御局へ転送する、
ことを特徴とする請求項７に記載の基地局装置。
【請求項９】
前記複数のアンテナユニットは、前記アンテナを複数有するアンテナユニットを含むことを特徴とする請求項１〜８のいずれか一つに記載の基地局装置。
【請求項１０】
前記アンテナを複数有するアンテナユニットは、自ユニットの各アンテナによる無線通信を制御するベースバンド処理部を有することを特徴とする請求項９に記載の基地局装置。
【請求項１１】
前記制御局は、前記複数のアンテナユニットの前記アンテナのうちの複数のアンテナを用いた前記無線通信を制御することを特徴とする請求項１〜１０のいずれか一つに記載の基地局装置。
【請求項１２】
それぞれアンテナを有する複数のアンテナユニットと、前記複数のアンテナユニットのうちの一部のアンテナユニットと信号線を介して接続された制御局と、を含む基地局装置による通信制御方法であって、
前記複数のアンテナユニットが、ルーチングにより互いに通信可能な通信路を形成し、
前記制御局が、前記信号線および前記通信路を用いて、前記複数のアンテナユニットの前記アンテナのうちの少なくともいずれかによる無線通信を制御する、
ことを特徴とする通信制御方法。
【発明の詳細な説明】
【技術分野】
【０００１】
本発明は、基地局装置および通信制御方法に関する。
【背景技術】
【０００２】
従来、第３世代移動通信システム（３Ｇ）、第３．９世代移動通信システムに対応するＬＴＥ、第４世代移動通信システムに対応するＬＴＥ−Ａｄｖａｎｃｅｄ、第５世代移動通信システム（５Ｇ）などの移動通信システムが知られている。ＬＴＥはＬｏｎｇ  Ｔｅｒｍ  Ｅｖｏｌｕｔｉｏｎの略である。また、移動通信システムの基地局において複数のアンテナを連結する構成が知られている（たとえば、下記特許文献１〜３参照。）。
【先行技術文献】
【特許文献】
【０００３】
【特許文献１】国際公開第２０１２／０２６３１８号
【特許文献２】特開２０１３−３１１６８号公報
【特許文献３】特表２０１４−５１４８４８号公報
【発明の概要】
【発明が解決しようとする課題】
【０００４】
しかしながら、上述した従来技術では、自由度の高いアンテナ構成を実現することが困難な場合がある。たとえば、多数のアンテナを含む基地局装置を構成する場合に、複数のアンテナユニットを組み合わせることが考えられるが、従来技術では複数のアンテナユニットと通信の制御局との間の配線が煩雑化する場合がある。【０００５】
１つの側面では、本発明は、自由度の高いアンテナ構成を実現することができる基地局装置および通信制御方法を提供することを目的とする。
【課題を解決するための手段】
【０００６】
上述した課題を解決し、目的を達成するため、本発明の一側面によれば、それぞれアンテナを有する複数のアンテナユニットと、前記複数のアンテナユニットを互いに通信可能とする通信路と、前記複数のアンテナユニットのうちの一部のアンテナユニットと信号線を介して接続され、前記信号線および前記通信路を用いて、前記複数のアンテナユニットの前記アンテナのうちの少なくともいずれかによる無線通信を行う制御局と、を含む基地局装置および通信制御方法が提案される。
【発明の効果】
【０００７】
本発明の一側面によれば、自由度の高いアンテナ構成を実現することができるという効果を奏する。
【図面の簡単な説明】
【０００８】
【図１】図１は、実施の形態にかかる基地局装置の一例を示す図である。
【図２】図２は、実施の形態にかかる基地局装置の他の一例を示す図である。
【図３】図３は、実施の形態にかかるアンテナユニット（＃１１）の経路表の一例を示す図である。
【図４】図４は、実施の形態にかかるアンテナユニット（＃１０）の経路表の一例を示す図である。
【図５】図５は、実施の形態にかかるアンテナユニット（＃１２）の経路表の一例を示す図である。
【図６】図６は、実施の形態にかかるアンテナユニット（＃１３）の経路表の一例を示す図である。
【図７】図７は、実施の形態にかかるルータの下り信号に関する構成の一例を示す図である。
【図８】図８は、実施の形態にかかるルータの上り信号に関する構成の一例を示す図である。
【図９】図９は、実施の形態にかかるＢＢ部の下り信号に関する構成の一例を示す図である。
【図１０】図１０は、実施の形態にかかるＢＢ部の上り信号に関する構成の一例を示す図である。
【図１１】図１１は、実施の形態にかかる基地局装置における単一ユニット／単一アンテナを用いる送信経路の一例を示す図である。
【図１２】図１２は、実施の形態にかかる基地局装置における単一ユニット／複数アンテナを用いる送信経路の一例を示す図である。
【図１３】図１３は、実施の形態にかかる基地局装置における複数ユニット／単一アンテナを用いる送信経路の一例を示す図である。
【図１４】図１４は、実施の形態にかかる基地局装置における複数ユニット／複数アンテナを用いる送信経路の一例を示す図である。
【図１５】図１５は、実施の形態にかかる基地局装置における単一ユニット／単一アンテナを用いる受信経路の一例を示す図である。
【図１６】図１６は、実施の形態にかかる基地局装置における単一ユニット／複数アンテナを用いる受信経路の一例を示す図である。
【図１７】図１７は、実施の形態にかかる基地局装置における複数ユニット／単一アンテナを用いる受信経路の一例を示す図である。
【図１８】図１８は、実施の形態にかかる基地局装置における複数ユニット／複数アンテナを用いる受信経路の一例を示す図である。
【図１９】図１９は、実施の形態にかかるアンテナユニットによる下り信号に関する処理の一例を示すフローチャートである。
【図２０】図２０は、実施の形態にかかるアンテナユニットによる上り信号に関する処理の一例を示すフローチャートである。
【図２１】図２１は、実施の形態にかかる基地局装置が単一ユニット／単一アンテナを用いる場合の送信信号の例を示す図（その１）である。
【図２２】図２２は、実施の形態にかかる基地局装置が単一ユニット／単一アンテナを用いる場合の送信信号の例を示す図（その２）である。
【図２３】図２３は、実施の形態にかかる基地局装置が単一ユニット／複数アンテナを用いる場合の送信信号の例を示す図（その１）である。
【図２４】図２４は、実施の形態にかかる基地局装置が単一ユニット／複数アンテナを用いる場合の送信信号の例を示す図（その２）である。
【図２５】図２５は、実施の形態にかかる基地局装置が複数ユニット／単一アンテナを用いる場合の送信信号の例を示す図である。
【図２６】図２６は、実施の形態にかかる基地局装置が複数ユニット／複数アンテナを用いる場合の送信信号の例を示す図である。
【図２７】図２７は、実施の形態にかかる基地局装置が単一ユニットを用いる場合の受信信号の例を示す図である。
【図２８】図２８は、実施の形態にかかる基地局装置が複数ユニットを用いる場合の受信信号の例を示す図である。
【図２９】図２９は、実施の形態にかかるアンテナユニットと制御局との間の接続の他の例を示す図である。
【発明を実施するための形態】
【０００９】
以下に図面を参照して、本発明にかかる基地局装置および通信制御方法の実施の形態を詳細に説明する。
【００１０】
（実施の形態）
（実施の形態にかかる基地局装置）
図１は、実施の形態にかかる基地局装置の一例を示す図である。図１に示すように、実施の形態にかかる基地局装置１００は、制御局１０１と、アンテナユニット１１０，１２０，１３０，１４０と、を含む。たとえば、基地局装置１００は、移動局との間で無線通信を行うことができる基地局である。制御局１０１は、アンテナユニット１１０，１２０，１３０，１４０を用いた無線通信を制御する通信制御装置である。アンテナユニット１１０，１２０，１３０，１４０は、それぞれ１本以上のアンテナを有し、互いに連結可能なユニットである。
【００１１】
基地局装置１００は、制御局１０１の制御により、アンテナユニット１１０，１２０，１３０，１４０の各アンテナを用いたＭＩＭＯ（Ｍｕｌｔｉｐｌｅ  Ｉｎｐｕｔ  Ｍｕｌｔｉｐｌｅ  Ｏｕｔｐｕｔ：多元入力多元出力）を行う。たとえば、基地局装置１００は、ＭＩＭＯを用いたプリコーディング（ビームフォーミング）、空間分割多重化またはダイバーシティコーティングなどを行う。以下においては、基地局装置１００がＭＩＭＯを用いたプリコーディングを行う場合について説明する。
【００１２】
アンテナユニット１１０は、制御局間Ｉ／Ｆ１１１と、ユニット間Ｉ／Ｆ１１２，１１３と、ルータ１１４と、通信部１１５と、アンテナ１１６と、を備える。制御局間Ｉ／Ｆ１１１は、制御局１０１と接続可能な通信インタフェースである。ユニット間Ｉ／Ｆ１１２，１１３は、他のユニットと接続可能な通信インタフェースである。
【００１３】
ルータ１１４は、制御局間Ｉ／Ｆ１１１、ユニット間Ｉ／Ｆ１１２，１１３および通信部１１５と接続され、経路表（ルーチングテーブル）に従った経路切替（ルーチング）を行う中継装置である。通信部１１５は、アンテナ１１６を介して無線信号の送受信を行う通信装置である。また、通信部１１５は、無線信号の送信および無線信号の受信の一方のみを行う構成であってもよい。
【００１４】
アンテナユニット１２０は、制御局間Ｉ／Ｆ１２１と、ユニット間Ｉ／Ｆ１２２，１２３と、ルータ１２４と、通信部１２５と、アンテナ１２６と、を備える。制御局間Ｉ／Ｆ１２１、ユニット間Ｉ／Ｆ１２２，１２３、ルータ１２４、通信部１２５およびアンテナ１２６は、それぞれ制御局間Ｉ／Ｆ１１１、ユニット間Ｉ／Ｆ１１２，１１３、ルータ１１４、通信部１１５およびアンテナ１１６と同様である。
【００１５】
アンテナユニット１３０は、制御局間Ｉ／Ｆ１３１と、ユニット間Ｉ／Ｆ１３２，１３３と、ルータ１３４と、通信部１３５と、アンテナ１３６と、を備える。制御局間Ｉ／Ｆ１３１、ユニット間Ｉ／Ｆ１３２，１３３、ルータ１３４、通信部１３５およびアンテナ１３６は、それぞれ制御局間Ｉ／Ｆ１１１、ユニット間Ｉ／Ｆ１１２，１１３、ルータ１１４、通信部１１５およびアンテナ１１６と同様である。
【００１６】
アンテナユニット１４０は、制御局間Ｉ／Ｆ１４１と、ユニット間Ｉ／Ｆ１４２，１４３と、ルータ１４４と、通信部１４５と、アンテナ１４６と、を備える。制御局間Ｉ／Ｆ１４１、ユニット間Ｉ／Ｆ１４２，１４３、ルータ１４４、通信部１４５およびアンテナ１４６は、それぞれ制御局間Ｉ／Ｆ１１１、ユニット間Ｉ／Ｆ１１２，１１３、ルータ１１４、通信部１１５およびアンテナ１１６と同様である。
【００１７】
図１に示すように、アンテナユニット１１０，１２０，１３０，１４０のそれぞれは、他のアンテナユニット（以下、他ユニットとも称する。）と接続可能なユニット間Ｉ／Ｆを複数有しており、複数の他ユニットと接続可能である。そして、アンテナユニット１１０，１２０，１３０，１４０の各ユニット間Ｉ／Ｆおよび各ルータの少なくともいずれかによって、アンテナユニット１１０，１２０，１３０，１４０が互いに通信可能な通信路が形成される。
【００１８】
図１に示す例では、アンテナユニット１１０のユニット間Ｉ／Ｆ１１２は他のユニットと接続されておらず、アンテナユニット１１０のユニット間Ｉ／Ｆ１１３はアンテナユニット１２０のユニット間Ｉ／Ｆ１２２と接続されている。また、アンテナユニット１２０のユニット間Ｉ／Ｆ１２３はアンテナユニット１３０のユニット間Ｉ／Ｆ１３２と接続されている。また、アンテナユニット１３０のユニット間Ｉ／Ｆ１３３はアンテナユニット１４０のユニット間Ｉ／Ｆ１４２と接続されている。アンテナユニット１４０のユニット間Ｉ／Ｆ１４３は他ユニットと接続されていない。
【００１９】
制御局１０１は、制御局間Ｉ／Ｆ１１１，１２１，１３１，１４１のうちの一部の制御局間Ｉ／Ｆと接続される。図１に示す例では、制御局１０１は、信号線１０２を介して、アンテナユニット１２０の制御局間Ｉ／Ｆ１２１と接続されている。ただし、アンテナユニット１１０，１２０，１３０，１４０と制御局１０１との間の接続は、図１に示す例に限らず、柔軟に変更することが可能である（たとえば図２９参照）。
【００２０】
信号線１０２には、たとえば、ＣＰＲＩ（Ｃｏｍｍｏｎ  Ｐｕｂｌｉｃ  Ｒａｄｉｏ  Ｉｎｔｅｒｆａｃｅ）やＯＲＩ（Ｏｐｅｎ  Ｒａｄｉｏ  Ｅｑｕｉｐｍｅｎｔ  Ｉｎｔｅｒｆａｃｅ）の信号線を用いることができる。ただし、信号線１０２にはこれらに限らず各種の信号線を用いることができる。
【００２１】
図１に示す例において、たとえば、アンテナユニット１１０のユニット間Ｉ／Ｆ１１２は他ユニットと接続されていない。このため、アンテナユニット１１０，１２０，１３０，１４０と同様の新たなアンテナユニットをユニット間Ｉ／Ｆ１１２に接続することで、アンテナユニットを容易に増設することができる。同様に、アンテナユニット１４０のユニット間Ｉ／Ｆ１４３は他ユニットと接続されていない。このため、アンテナユニット１１０，１２０，１３０，１４０と同様の新たなアンテナユニットをユニット間Ｉ／Ｆ１４３に接続することで、アンテナユニットを容易に増設することができる。
【００２２】
また、新たに増設したアンテナユニットにも他ユニットと接続されていないユニット間Ｉ／Ｆが存在するため、さらに新たなアンテナユニットを増設していくことができる。また、新たに増設したアンテナユニットは、ユニット間Ｉ／Ｆによって他ユニットを介して制御局１０１と通信を行うことができるため、新たに増設したアンテナユニットと制御局１０１とを信号線によって直接接続しなくてもよい。
【００２３】
また、たとえば、アンテナユニット１１０と制御局１０１とは直接接続されていないため、基地局装置１００からアンテナユニット１１０を容易に取り外すことができる。同様に、アンテナユニット１４０と制御局１０１とは直接接続されていないため、基地局装置１００からアンテナユニット１４０を容易に取り外すことができる。また、アンテナユニット１３０と制御局１０１との間も直接接続されていないため、基地局装置１００からアンテナユニット１３０，１４０の両方を容易に取り外すこともできる。また、取り外すアンテナユニットは制御局１０１と直接接続されていないため、取り外しは他ユニットとの間でのみ行えばよく、制御局１０１との間の直接接続の切断等は不要である。
【００２４】
このように、各アンテナユニットが複数のユニット間Ｉ／Ｆを有し、制御局１０１は各アンテナユニットのうちの一部のアンテナユニットとのみ接続することで自由度の高いアンテナ構成を実現することができる。たとえば、アンテナユニット１１０，１２０，１３０，１４０と同様の多数のアンテナユニットを製造し、任意の数のアンテナユニットを組み合わせて接続することで、所要のアンテナ構成を効率よく（たとえば安価に）実現することができる。また、基地局装置１００の設置後におけるアンテナユニットの増設や取り外しも容易であるため、アンテナ構成を柔軟に変更することが可能になる。
【００２５】
アンテナユニット１１０，１２０，１３０，１４０のそれぞれは、たとえば、アンテナを有する面が四角形の四角柱の形状とすることができる。これにより、アンテナユニット１１０，１２０，１３０，１４０を効率よく配列することができる。ただし、アンテナユニット１１０，１２０，１３０，１４０の形状はこれに限らず、たとえば、三角錐、五角錐、六角錐（ハニカム構造）の形状としてもよい。
【００２６】
また、図１に示す例ではアンテナユニット１１０，１２０，１３０，１４０を２次元状に連結する構成について説明したが、このような構成に限らない。たとえば、アンテナユニット１１０，１２０，１３０，１４０を六角錐の形状とする場合に、アンテナユニット１１０，１２０，１３０，１４０のそれぞれについて、６個の側面にそれぞれユニット間Ｉ／Ｆを設けることができる。これにより、アンテナユニット１１０，１２０，１３０，１４０を３次元状に連結することができる。また、アンテナユニット１１０，１２０，１３０，１４０は、たとえば、リング状、数珠つなぎ状、ツリー状など各種の形状によって連結することができる。
【００２７】
以下の説明においては、図１に示した例のように、４個のアンテナユニット（アンテナユニット１１０，１２０，１３０，１４０）が連結されて基地局装置１００に含まれた構成について主に説明する。ただし、上述したようにアンテナユニットは増設や取り外しが可能であるため、基地局装置１００はこのような構成に限らず、１〜３個のアンテナユニットを含む構成でもよいし、５個以上のアンテナユニットを含む構成でもよい。
【００２８】
図２は、実施の形態にかかる基地局装置の他の一例を示す図である。図２において、図１に示した部分と同様の部分については同一の符号を付して説明を省略する。図２に示すように、通信部１１５，１２５，１３５，１４５のそれぞれは、たとえばＲＦ部およびＢＢ部により実現することができる。また、図２に示すように、アンテナユニット１１０，１２０，１３０，１４０のそれぞれが複数のアンテナを有する構成としてもよい。
【００２９】
たとえば、図２に示す例では、アンテナユニット１１０の通信部１１５は、ＢＢ部２１１と、ＲＦ部２１２〜２１４と、を有する。また、図２に示すアンテナユニット１１０は、図１に示したアンテナ１１６に代えてアンテナ２１５〜２１７を有する。ＢＢ部２１１は、アンテナ２１５〜２１７を用いた各無線通信のベースバンド処理を行うベースバンド処理部である。
【００３０】
ＢＢ部２１１による受信側のベースバンド処理には、たとえば、復調や復号が含まれる。ＢＢ部２１１による送信側のベースバンド処理には、たとえば、符号化や変調が含まれる。ＢＢ部２１１は、たとえばＤＳＰ（Ｄｉｇｉｔａｌ  Ｓｉｇｎａｌ  Ｐｒｏｃｅｓｓｏｒ）やＦＰＧＡ（Ｆｉｅｌｄ  Ｐｒｏｇｒａｍｍａｂｌｅ  Ｇａｔｅ  Ａｒｒａｙ）などのプロセッサやメモリにより実現することができる。
【００３１】
ＲＦ部２１２〜２１４は、それぞれアンテナ２１５〜２１７に対応して設けられ、それぞれアンテナ２１５〜２１７を用いた無線通信のＲＦ（Ｒａｄｉｏ  Ｆｒｅｑｕｅｎｃｙ：高周波）処理を行う。ＲＦ部２１２〜２１４による受信側のＲＦ処理には、たとえば、増幅、ＲＦ帯からベースバンド帯への周波数変換、アナログ信号からディジタル信号への変換などが含まれる。
【００３２】
ＲＦ部２１２〜２１４による送信側のＲＦ処理には、たとえば、ディジタル信号からアナログ信号への変換、ベースバンド帯からＲＦ帯への周波数変換、増幅などが含まれる。図２に示す例では、アンテナ２１５〜２１７にはアンテナ番号としてそれぞれ＃１〜＃３が割り当てられている。ＲＦ部２１２〜２１４は、たとえば、増幅器、ミキサ、アナログ／ディジタル変換器などの回路により実現することができる。
【００３３】
アンテナユニット１２０の通信部１２５は、ＢＢ部２２１と、ＲＦ部２２２〜２２４と、を有する。また、図２に示すアンテナユニット１２０は、図１に示したアンテナ１２６に代えてアンテナ２２５〜２２７を有する。ＢＢ部２２１、ＲＦ部２２２〜２２４およびアンテナ２２５〜２２７は、それぞれアンテナユニット１１０のＢＢ部２１１、ＲＦ部２１２〜２１４およびアンテナ２１５〜２１７と同様である。図２に示す例では、アンテナ２２５〜２２７にはアンテナ番号としてそれぞれ＃１〜＃３が割り当てられている。
【００３４】
アンテナユニット１３０の通信部１３５は、ＢＢ部２３１と、ＲＦ部２３２〜２３４と、を有する。また、図２に示すアンテナユニット１３０は、図１に示したアンテナ１３６に代えてアンテナ２３５〜２３７を有する。ＢＢ部２３１、ＲＦ部２３２〜２３４およびアンテナ２３５〜２３７は、それぞれアンテナユニット１１０のＢＢ部２１１、ＲＦ部２１２〜２１４およびアンテナ２１５〜２１７と同様である。図２に示す例では、アンテナ２３５〜２３７にはアンテナ番号としてそれぞれ＃１〜＃３が割り当てられている。
【００３５】
アンテナユニット１４０の通信部１４５は、ＢＢ部２４１と、ＲＦ部２４２〜２４４と、を有する。また、図２に示すアンテナユニット１４０は、図１に示したアンテナ１４６に代えてアンテナ２４５〜２４７を有する。ＢＢ部２４１、ＲＦ部２４２〜２４４およびアンテナ２４５〜２４７は、それぞれアンテナユニット１１０のＢＢ部２１１、ＲＦ部２１２〜２１４およびアンテナ２１５〜２１７と同様である。図２に示す例では、アンテナ２４５〜２４７にはアンテナ番号としてそれぞれ＃１〜＃３が割り当てられている。
【００３６】
また、図２に示す例では、アンテナユニット１１０，１２０，１３０，１４０に対してそれぞれユニット番号として＃１１、＃１０、＃１２、＃１３が割り当てられている。たとえば、アンテナユニット１２０を制御局１０１と接続した状態でアンテナユニット１１０，１３０，１４０の順に接続すると、接続した順番に＃１０、＃１１、＃１２、＃１３がそれぞれアンテナユニット１２０，１１０，１３０，１４０に割り当てられる。
【００３７】
また、図２に示す例では、たとえばアンテナユニット１１０におけるルータ１１４の各ポートに対してポート番号（１）〜（４）が割り当てられている。ポート番号（１）は、ルータ１１４の各ポート（出力ポート）のうちの制御局間Ｉ／Ｆ１１１と接続されたポートを示す。ポート番号（２）は、ルータ１１４の各ポートのうちのユニット間Ｉ／Ｆ１１２と接続されたポートを示す。ポート番号（３）は、ルータ１１４の各ポートのうちのユニット間Ｉ／Ｆ１１３と接続されたポートを示す。ポート番号（４）は、ルータ１１４の各ポートのうちの通信部１１５と接続されたポートを示す。アンテナユニット１１０のルータ１１４と同様に、アンテナユニット１２０，１３０，１４０のルータの各ポートに対してもポート番号（１）〜（４）が割り当てられている。
【００３８】
また、制御局１０１にはアドレスとして「１．１」が割り当てられているとする。なお、アンテナユニット１１０，１２０，１３０，１４０がそれぞれ３本のアンテナを有する構成について説明したが、このような構成に限らない。たとえば、アンテナユニット１１０，１２０，１３０，１４０がそれぞれ有するアンテナの数は、１本（図１参照）、２本、または４本以上であってもよい。また、アンテナユニット１１０，１２０，１３０，１４０のそれぞれが有するアンテナの数は互いに異なっていてもよい。
【００３９】
基地局装置１００において、たとえば、連結されたアンテナユニット１１０，１２０，１３０，１４０を１個のＲＲＨ（Ｒｅｍｏｔｅ  Ｒａｄｉｏ  Ｈｅａｄ：無線部）とすることができる。また、制御局１０１は、たとえばＣ−ＢＢＵ（Ｃｅｎｔａｌｉｚｅｄ−Ｂａｓｅ  Ｂａｎｄ  Ｕｎｉｔ）とすることができる。
【００４０】
（ビームフォーミングについて）
つぎに、アンテナユニット１１０，１２０，１３０，１４０を用いたビームフォーミングについて説明する。たとえば、制御局１０１は、基地局装置１００との間で通信を行う移動局との間でＭＩＭＯによるビームフォーミングを行う際に、その移動局との間の無線通信でいずれのアンテナを使用するかを決定する。使用するアンテナは、上り信号と下り信号で同じであってもよいし、異なっていてもよい。ここでは使用するアンテナが上り信号と下り信号で同じである場合について説明する。
【００４１】
また、制御局１０１は、使用するアンテナとして決定した各アンテナについて、それぞれのビームフォーミングの重み付け係数を決定する。ビームフォーミングの重み付け係数は、一例としてはＰＭＩ（Ｐｒｅｃｏｄｉｎｇ  Ｍａｔｒｉｘ  Ｉｎｄｉｃａｔｏｒ：プリコード化マトリクス指標）である。そして、制御局１０１は、使用するアンテナとビームフォーミングの重み付け係数を示す制御情報とともに移動局へのデータをアンテナユニット１２０へ送信する。これにより、移動局へのデータが、使用するアンテナを有する各アンテナユニットへルーチングにより転送され、それらの各アンテナユニットによって重み付けが行われたデータが複数のアンテナによって同時に送信される。
【００４２】
また、制御局１０１は、上り信号においてもビームフォーミングを行う場合は、移動局に対して、制御信号を送信することにより、使用するアンテナとビームフォーミングの重み付け係数を通知する。これにより、移動局から基地局装置１００に対してビームフォーミングによる上り信号の無線送信が行われる。制御局１０１は、移動局へ通知したアンテナおよびビームフォーミングの重み付け係数に基づいて合成処理を行うことにより、ビームフォーミングにより送信された上り信号を合成することができる。
【００４３】
（立上げ時の処理）
つぎに、アンテナユニットを複数連結したときの基地局装置１００の立上げ時の処理について説明する。たとえば、図１に示した構成において、制御局１０１と接続（インタフェース）されたアンテナユニット１２０がマスタユニットとして動作する。マスタユニットとして動作するアンテナユニット１２０は、ルータ１２４のユニット間Ｉ／Ｆ１２２，１２３に接続されたアンテナユニット１１０，１３０のユニット番号を登録する。これにより、制御局１０１から届いたデータをアンテナユニット１２０から所望のアンテナユニットに振り分けることができる。
【００４４】
また、他のアンテナユニット（アンテナユニット１１０，１３０，１４０）においても、それぞれのユニット間Ｉ／Ｆに直接的または間接的に接続されている他ユニットのユニット番号を登録しておく。立上げ時における各アンテナユニットによるこれらの登録結果は、たとえば経路表として各アンテナユニットの各メモリに記憶される。
【００４５】
以上により、連結されたアンテナユニットの構成を管理し、任意のアンテナ番号に対してデータを送ることが可能となる。また、基地局装置１００の受信信号は、マスタユニットに向かって転送されることになる。また、隣り合うアンテナユニットから全体の連結構成を把握することで、全体の接続状況を制御局１０１で把握することも可能である。
【００４６】
（実施の形態にかかるアンテナユニットの経路表）
図３は、実施の形態にかかるアンテナユニット（＃１１）の経路表の一例を示す図である。ユニット番号が＃１１であるアンテナユニット１１０のルータ１１４は、たとえば図３に示す経路表３００にアクセス可能である。経路表３００は、たとえばアンテナユニット１１０が備えるメモリに記憶される。
【００４７】
経路表３００は、パケットの送信先アドレスごとに、ルータ１１４の各ポートのうちのパケットの出力先のポートを示すポート番号が対応付けられたルーチングテーブルである。たとえば、基地局装置１００において、基地局装置１００が送信するパケットであるＤＬ（ダウンリンク）のパケットの送信先アドレスの形式として［ユニット番号．アンテナ番号］の形式が用いられるとする。また、基地局装置１００において、基地局装置１００が受信するパケットであるＵＬ（アップリンク）のパケットの送信先アドレスは制御局１０１の「１．１」である。
【００４８】
経路表３００においては、アンテナユニット１１０（ユニット番号＃１１）における任意のアンテナを示す送信先アドレス「１１．Ｘ」にはポート番号（４）が対応付けられている。これにより、ルータ１１４は、アンテナユニット１１０のアンテナを送信先とするＤＬのパケットを通信部１１５へ転送することができる。
【００４９】
また、経路表３００においては、制御局１０１を示す送信先アドレス「１．１」にはポート番号（３）が対応付けられている。これにより、ルータ１１４は、制御局１０１を送信先とするＵＬのパケットを、ユニット間Ｉ／Ｆ１１３を介してアンテナユニット１２０へ転送することができる。
【００５０】
図４は、実施の形態にかかるアンテナユニット（＃１０）の経路表の一例を示す図である。図４において、図３に示した部分と同様の部分については説明を省略する。ユニット番号が＃１０であるアンテナユニット１２０のルータ１２４は、たとえば図４に示す経路表４００にアクセス可能である。経路表４００は、たとえばアンテナユニット１２０が備えるメモリに記憶される。経路表４００は、パケットの送信先アドレスごとに、ルータ１２４の各ポートのうちのパケットの出力先のポートを示すポート番号が対応付けられたルーチングテーブルである。
【００５１】
経路表４００においては、アンテナユニット１２０（ユニット番号＃１０）における任意のアンテナを示す送信先アドレス「１０．Ｘ」にはポート番号（４）が対応付けられている。これにより、ルータ１２４は、アンテナユニット１２０のアンテナを送信先とするＤＬのパケットを通信部１２５へ転送することができる。
【００５２】
また、経路表４００においては、アンテナユニット１１０（ユニット番号＃１１）における任意のアンテナを示す送信先アドレス「１１．Ｘ」にはポート番号（２）が対応付けられている。これにより、ルータ１２４は、アンテナユニット１１０のアンテナを送信先とするＤＬのパケットを、ユニット間Ｉ／Ｆ１２２を介してアンテナユニット１１０へ転送することができる。
【００５３】
また、経路表４００においては、アンテナユニット１３０（ユニット番号＃１２）における任意のアンテナを示す送信先アドレス「１２．Ｘ」にはポート番号（３）が対応付けられている。これにより、ルータ１２４は、アンテナユニット１３０のアンテナを送信先とするＤＬのパケットを、ユニット間Ｉ／Ｆ１２３を介してアンテナユニット１３０へ転送することができる。
【００５４】
また、経路表４００においては、アンテナユニット１４０（ユニット番号＃１３）における任意のアンテナを示す送信先アドレス「１３．Ｘ」にはポート番号（３）が対応付けられている。これにより、ルータ１２４は、アンテナユニット１４０のアンテナを送信先とするＤＬのパケットを、ユニット間Ｉ／Ｆ１２３を介してアンテナユニット１３０へ転送することができる。
【００５５】
また、経路表４００においては、制御局１０１を示す送信先アドレス「１．１」にはポート番号（１）が対応付けられている。これにより、ルータ１２４は、制御局１０１を送信先とするＵＬのパケットを、制御局間Ｉ／Ｆ１２１を介して制御局１０１へ転送することができる。
【００５６】
図５は、実施の形態にかかるアンテナユニット（＃１２）の経路表の一例を示す図である。図５において、図３，図４に示した部分と同様の部分については説明を省略する。ユニット番号が＃１２であるアンテナユニット１３０のルータ１３４は、たとえば図５に示す経路表５００にアクセス可能である。経路表５００は、たとえばアンテナユニット１３０が備えるメモリに記憶される。経路表５００は、パケットの送信先アドレスごとに、ルータ１３４の各ポートのうちのパケットの出力先のポートを示すポート番号が対応付けられたルーチングテーブルである。
【００５７】
経路表５００においては、アンテナユニット１３０（ユニット番号＃１２）における任意のアンテナを示す送信先アドレス「１２．Ｘ」にはポート番号（４）が対応付けられている。これにより、ルータ１３４は、アンテナユニット１３０のアンテナを送信先とするＤＬのパケットを通信部１３５へ転送することができる。
【００５８】
また、経路表５００においては、アンテナユニット１４０（ユニット番号＃１３）における任意のアンテナを示す送信先アドレス「１３．Ｘ」にはポート番号（３）が対応付けられている。これにより、ルータ１３４は、アンテナユニット１４０のアンテナを送信先とするＤＬのパケットを、ユニット間Ｉ／Ｆ１３３を介してアンテナユニット１４０へ転送することができる。
【００５９】
また、経路表５００においては、制御局１０１を示す送信先アドレス「１．１」にはポート番号（２）が対応付けられている。これにより、ルータ１３４は、制御局１０１を送信先とするＵＬのパケットを、ユニット間Ｉ／Ｆ１３２を介してアンテナユニット１２０へ転送することができる。
【００６０】
図６は、実施の形態にかかるアンテナユニット（＃１３）の経路表の一例を示す図である。図６において、図３〜図５に示した部分と同様の部分については説明を省略する。ユニット番号が＃１３であるアンテナユニット１４０のルータ１４４は、たとえば図６に示す経路表６００にアクセス可能である。経路表６００は、たとえばアンテナユニット１４０が備えるメモリに記憶される。経路表６００は、パケットの送信先アドレスごとに、ルータ１４４の各ポートのうちのパケットの出力先のポートを示すポート番号が対応付けられたルーチングテーブルである。
【００６１】
経路表６００においては、アンテナユニット１４０（ユニット番号＃１３）における任意のアンテナを示す送信先アドレス「１３．Ｘ」にはポート番号（４）が対応付けられている。これにより、ルータ１４４は、アンテナユニット１４０のアンテナを送信先とするＤＬのパケットを通信部１４５へ転送することができる。
【００６２】
また、経路表６００においては、制御局１０１を示す送信先アドレス「１．１」にはポート番号（２）が対応付けられている。これにより、ルータ１４４は、制御局１０１を送信先とするＵＬのパケットを、ユニット間Ｉ／Ｆ１４２を介してアンテナユニット１３０へ転送することができる。
【００６３】
（実施の形態にかかるルータの構成）
図７は、実施の形態にかかるルータの下り信号に関する構成の一例を示す図である。ルータ１１４，１２４，１３４，１４４のそれぞれは、たとえば図７，図８に示すルータ７００により実現することができる。図７に示すように、ルータ７００は、下り信号に関する構成として、アドレス解釈部７１０と、ルーチングテーブル部７２０と、アドレス等変換部７３０と、出力ポート決定部７４０と、を有する。
【００６４】
アドレス解釈部７１０は、ルータ７００のＤＬの入力ポートから入力されたパケットの送信先アドレスを解釈する。ＤＬの入力ポートには、たとえば上述した制御局間Ｉ／Ｆ（たとえば制御局間Ｉ／Ｆ１１１）との間のポートや、上述したユニット間Ｉ／Ｆ（たとえばユニット間Ｉ／Ｆ１１２，１１３）との間のポートが含まれる。ルーチングテーブル部７２０は、たとえば図３〜図６に示したような経路表にアクセスし、アドレス解釈部７１０によって解釈された送信先アドレスに対応するポート番号を特定する。
【００６５】
アドレス等変換部７３０は、ルーチングテーブル部７２０によって特定されたポート番号の出力先がＢＢ部である場合に、送信先アドレス等の変換を変換してパケットをＢＢ部へ出力する。送信先アドレス等の変換には、たとえば、パケットの送信先アドレスに含まれるユニット番号の削除などが含まれる。
【００６６】
出力ポート決定部７４０は、ルーチングテーブル部７２０によって特定されたポート番号の出力先が他ユニットである場合に、ルータ７００に接続された複数のユニット間Ｉ／Ｆに対応する各ポートのうちの出力先のポートを決定する。そして、出力ポート決定部７４０は、出力先として決定したポート（出力ポート）からパケットを出力することで、ルータ７００へ入力されたパケットを他ユニットへ転送する。
【００６７】
このように、ルータ７００は、制御局１０１から送信されてきた下り信号を、任意のアンテナユニットの任意のアンテナに送り届ける構成を有する。また、ルータ７００は、１以上のアンテナユニットの複数のアンテナに、同一データを配信できる機能を有する。これは、信号の分配および重み付けの後に送信を行うことで、送信ビームフォーミングを実現するためにある。
【００６８】
図８は、実施の形態にかかるルータの上り信号に関する構成の一例を示す図である。図８に示すように、ルータ７００は、上り信号に関する構成として、信号ＩＤ解釈部８１０と、信号合成管理テーブル部８２０と、データ合成処理部８３０と、出力パケット生成部８４０と、を有する。
【００６９】
信号ＩＤ解釈部８１０は、ルータ７００のＵＬの入力ポートから入力されたパケットの信号ＩＤを解釈する。ＵＬの入力ポートには、たとえば上述したユニット間Ｉ／Ｆ（たとえばユニット間Ｉ／Ｆ１１２，１１３）との間のポートが含まれる。信号ＩＤは、たとえばデータのストリームを識別するストリームＩＤである。信号合成管理テーブル部８２０は、複数のアンテナによって受信された各データを合成するアンテナユニットを特定可能な信号合成管理テーブルにアクセスし、入力されたパケットのデータを自ユニットで合成するか否かを判断する。
【００７０】
データ合成処理部８３０は、信号合成管理テーブル部８２０による判断結果に基づいて、入力されたパケットのデータの合成処理を行う。たとえばデータ合成処理部８３０は、合成処理を行う場合に、信号ＩＤ解釈部８１０によって解釈される信号ＩＤ（ストリーミングＩＤ）が同一の各データの待ち合わせを行い、信号ＩＤ（ストリーミングＩＤ）が同一の各データの合成（加算）を行う。データ合成処理部８３０が合成するデータは、上述したＵＬの入力ポートから入力されたデータ（他ユニットにより無線受信されたデータ）や、自ユニットのＢＢ部から入力されたデータ（自ユニットにより無線受信されたデータ）が含まれる。
【００７１】
出力パケット生成部８４０は、データ合成処理部８３０によって合成されたデータや、ＵＬの入力パケットまたは自ユニットのＢＢ部から入力されデータ合成処理部８３０によって合成されなかったデータを含むパケット（出力パケット）を生成する。そして、出力パケット生成部８４０は、生成したパケットを所定の出力ポートから出力する。出力パケット生成部８４０による出力ポートからのパケットの出力は、たとえば図３〜図６に示したような経路表に基づいて行われてもよいし、出力パケット生成部８４０に対して予め設定された出力先ポートによって行われてもよい。
【００７２】
このように、ルータ７００は、任意のアンテナユニットの任意のアンテナ素子で受信された上り信号を制御局１０１に送り届ける機能を有する。また、ルータ７００は、１以上のアンテナユニットの複数のアンテナの信号を、合成処理し、その後にルーチングを行う機能を有する。これは、受信ビームフォーミングまたはその一部を実現するためにある。
【００７３】
（実施の形態にかかるＢＢ部の構成）
図９は、実施の形態にかかるＢＢ部の下り信号に関する構成の一例を示す図である。ＢＢ部２１１，２２１，２３１，２４１のそれぞれは、たとえば図９，図１０に示すＢＢ部９００により実現することができる。図８に示すように、ＢＢ部９００は、下り信号に関する構成として、制御信号解釈部９１０と、アンテナ選択・分配部９２０と、アンテナ重み付け部９３０と、を有する。
【００７４】
制御信号解釈部９１０は、自ユニットのルータから転送されたパケットに含まれる制御信号の解釈を行う。制御信号解釈部９１０によって解釈される制御信号には、たとえば送信先のアンテナのアンテナ番号や、送信先のアンテナに対応するビームフォーミングの重み付け係数（ウェイト）などが含まれる。
【００７５】
アンテナ選択・分配部９２０は、自ユニットのルータから転送されたパケットの送信先のアンテナを、制御信号解釈部９１０によって解釈された制御信号に含まれるアンテナ番号に基づいて選択する。そして、アンテナ選択・分配部９２０は、自ユニットのルータから転送されたパケットのデータを、選択した送信先に対応する経路に分配して出力する。選択した送信先に対応する経路は、たとえば選択した送信先のアンテナに対応するＲＦと接続された経路である。
【００７６】
アンテナ重み付け部９３０は、アンテナ選択・分配部９２０によって分配されて出力されたデータを、制御信号解釈部９１０によって解釈された制御信号に含まれるウェイトに基づいて重み付け（乗算）して自ユニットのＲＦ部へ出力する。これにより、重み付けしたデータを自ユニットのアンテナから無線送信し、下りのビームフォーミングを行うことができる。
【００７７】
図１０は、実施の形態にかかるＢＢ部の上り信号に関する構成の一例を示す図である。図１０に示すように、ＢＢ部９００は、上り信号に関する構成として、アンテナ重み付け合成部１０１０と、アンテナ選択・合成部１０２０と、制御信号付加部１０３０と、ビームフォーミング制御部１０４０と、を有する。
【００７８】
アンテナ重み付け合成部１０１０は、自ユニットの各アンテナによって受信される各データを、ビームフォーミング制御部１０４０からの制御に従って重み付け合成（重み付け加算）してアンテナ選択・合成部１０２０へ出力する。アンテナ選択・合成部１０２０は、アンテナ重み付け合成部１０１０によって重み付け合成された各データを、ビームフォーミング制御部１０４０からの制御に従って合成（加算）し、加算により得られたデータを自ユニットのルータへ転送する。
【００７９】
制御信号付加部１０３０は、アンテナ選択・合成部１０２０が自ユニットのルータへ転送するデータに対して、制御信号を付加する。たとえば、制御信号付加部１０３０は、信号ＩＤ（ストリーミングＩＤ）などの制御信号をデータに付加する。この制御情報は、たとえば、制御局１０１が行ったスケジューリングの結果に基づいて付加することができる。制御局１０１が行ったスケジューリングの結果は、たとえばＢＢ部９００が自ユニットのルータを介して制御局１０１から取得することができる。または、制御信号付加部１０３０が付加する制御情報は、送信先である制御局１０１のアドレスや、制御局１０１と接続されたアンテナユニットのユニット番号などであってもよい。
【００８０】
ビームフォーミング制御部１０４０は、アンテナ重み付け合成部１０１０による重み付け合成およびアンテナ選択・合成部１０２０による合成を制御する。たとえば、上り信号に対して下り信号と同様のビームフォーミングが行われるとする。この場合は、ビームフォーミング制御部１０４０は、図９に示した制御信号解釈部９１０による制御パラメータに対応する制御パラメータを用いてアンテナ重み付け合成部１０１０およびアンテナ選択・合成部１０２０の制御を行う。この制御パラメータには、無線信号の送受信に用いるアンテナのアンテナ番号や、無線信号の送受信に用いるアンテナに対応するウェイトなどが含まれる。
【００８１】
（実施の形態にかかる基地局装置における送信経路）
図１１は、実施の形態にかかる基地局装置における単一ユニット／単一アンテナを用いる送信経路の一例を示す図である。図１１において、図２に示した部分と同様の部分については同一の符号を付して説明を省略する。ただし、図１１においては、ユニット間Ｉ／Ｆ、ＢＢ部、ＲＦ部の図示を省略している。また、図１１に示す例では、制御局１０１は、信号線１０２を介してアンテナユニット１３０の制御局間Ｉ／Ｆ１３１と接続されている。図１２〜図１８についても同様である。
【００８２】
送信信号１１００は、制御局１０１が信号線１０２を介してアンテナユニット１３０へ送信するＤＬのパケット（時間領域の信号）である。送信信号１１００は、ヘッダ１１１０と、データ１１２０と、を含む。ヘッダ１１１０は、たとえば制御局１０１によって付されたヘッダであり、アドレス１１１１を含む。アドレス１１１１は、アンテナユニット１１０，１２０，１３０，１４０の各アンテナのうちの送信先のアンテナを示す送信先アドレス（識別情報）である。
【００８３】
図１１に示す例では、アドレス１１１１は、アンテナユニット１２０のアンテナ２２７を示すアドレス（たとえば「１０．３」）であるとする。すなわち、図１１に示す例では、単一ユニットへのストリーム配信と単一アンテナを用いる送信が行われる。データ１１２０は、ＤＬによって送信されるユーザデータである。
【００８４】
制御局１０１から送信された送信信号１１００は、アンテナユニット１３０の制御局間Ｉ／Ｆ１３１を介してルータ１３４へ入力される。ルータ１３４は、送信信号１１００のアドレス１１１１および経路表５００（図５参照）に基づいて、送信信号１１００をアンテナユニット１２０へ転送する。
【００８５】
アンテナユニット１３０からアンテナユニット１２０へ転送された送信信号１１００は、アンテナユニット１２０のルータ１２４へ入力される。ルータ１２４は、送信信号１１００のアドレス１１１１および経路表４００（図４参照）に基づいて、送信信号１１００を通信部１２５へ転送する。通信部１２５は、ルータ１２４から転送された送信信号１１００のデータ１１２０を、アドレス１１１１に基づいてアンテナ２２７から送信する。
【００８６】
図１２は、実施の形態にかかる基地局装置における単一ユニット／複数アンテナを用いる送信経路の一例を示す図である。図１２において、図１１に示した部分と同様の部分については同一の符号を付して説明を省略する。図１２に示す例では、アドレス１１１１は、アンテナユニット１２０のアンテナ２２５，２２６を示す複数のアドレス（たとえば「１０．１」および「１０．２」）であるとする。すなわち、図１２に示す例では、単一ユニットへのストリーム配信と複数アンテナを用いる送信が行われる。
【００８７】
また、図１２に示す例では、送信信号１１００にはアドレス１１１１およびウェイト１１１２が含まれる。ウェイト１１１２は、アドレス１１１１が複数のアンテナを示す場合に、複数のアンテナ間の重み付け係数を示す情報である。通信部１２５は、ルータ１２４から転送された送信信号１１００のデータ１１２０を、アドレス１１１１に基づいてアンテナ２２５，２２６に分配して送信する。また、通信部１２５は、アンテナ２２５，２２６から送信する各信号を、ウェイト１１１２に基づいて重み付けする。
【００８８】
図１３は、実施の形態にかかる基地局装置における複数ユニット／単一アンテナを用いる送信経路の一例を示す図である。図１３において、図１２に示した部分と同様の部分については同一の符号を付して説明を省略する。図１３に示す例では、アドレス１１１１は、アンテナ２１７，２３５，２４６を示す複数のアドレス（たとえば「１１．３」、「１２．１」、「１３．２」）であるとする。すなわち、図１３に示す例では、複数ユニットへのストリーム配信と単一アンテナを用いる送信が行われる。
【００８９】
アンテナユニット１３０のルータ１３４は、送信信号１１００のアドレス１１１１および経路表５００（図５参照）に基づいて、送信信号１１００を、通信部１３５およびアンテナユニット１２０，１４０へ転送する。通信部１３５は、ルータ１３４から転送された送信信号１１００のデータ１１２０を、アドレス１１１１に基づいてアンテナ２３５から送信する。また、通信部１３５は、データ１１２０を、ウェイト１１１２に含まれるアンテナ２３５の係数によって重み付けしてアンテナ２３５から送信する。
【００９０】
アンテナユニット１２０のルータ１２４は、アンテナユニット１３０から転送された送信信号１１００を、送信信号１１００のアドレス１１１１および経路表４００（図４参照）に基づいてアンテナユニット１１０へ転送する。
【００９１】
アンテナユニット１１０のルータ１１４は、アンテナユニット１２０から転送された送信信号１１００を、送信信号１１００のアドレス１１１１および経路表３００（図３参照）に基づいて通信部１１５へ転送する。通信部１１５は、ルータ１１４から転送された送信信号１１００のデータ１１２０を、アドレス１１１１に基づいてアンテナ２１７から送信する。また、通信部１１５は、データ１１２０を、ウェイト１１１２に含まれるアンテナ２１７の係数によって重み付けしてアンテナ２１７から送信する。
【００９２】
アンテナユニット１４０のルータ１４４は、アンテナユニット１３０から転送された送信信号１１００を、送信信号１１００のアドレス１１１１および経路表６００（図６参照）に基づいて通信部１４５へ転送する。通信部１４５は、ルータ１４４から転送された送信信号１１００のデータ１１２０を、アドレス１１１１に基づいてアンテナ２４６から送信する。また、通信部１４５は、データ１１２０を、ウェイト１１１２に含まれるアンテナ２４６の係数によって重み付けしてアンテナ２４６から送信する。
【００９３】
図１４は、実施の形態にかかる基地局装置における複数ユニット／複数アンテナを用いる送信経路の一例を示す図である。図１４において、図１３に示した部分と同様の部分については同一の符号を付して説明を省略する。図１４に示す例では、アドレス１１１１は、アンテナ２１６，２１７，２３６，２４５，２４６を示す複数のアドレス（たとえば「１１．２」、「１１．３」、「１２．２」、「１３．１」、「１３．２」）であるとする。すなわち、図１４に示す例では、複数ユニットへのストリーム配信と複数アンテナを用いる送信が行われる。
【００９４】
アンテナユニット１３０の通信部１３５は、ルータ１３４から転送された送信信号１１００のデータ１１２０を、アドレス１１１１に基づいてアンテナ２３６から送信する。また、通信部１３５は、データ１１２０を、ウェイト１１１２に含まれるアンテナ２３６の各係数によって重み付けしてアンテナ２３６から送信する。
【００９５】
アンテナユニット１１０の通信部１１５は、ルータ１１４から転送された送信信号１１００のデータ１１２０を、アドレス１１１１に基づいてアンテナ２１６，２１７から送信する。また、通信部１１５は、データ１１２０を、ウェイト１１１２に含まれるアンテナ２１６，２１７の各係数によって重み付けしてアンテナ２１６，２１７から送信する。
【００９６】
アンテナユニット１４０の通信部１４５は、ルータ１４４から転送された送信信号１１００のデータ１１２０を、アドレス１１１１に基づいてアンテナ２４５，２４６から送信する。また、通信部１４５は、データ１１２０を、ウェイト１１１２に含まれるアンテナ２４５，２４６の各係数によって重み付けしてアンテナ２４５，２４６から送信する。
【００９７】
図１１〜図１４に示したように、制御局１０１は、無線通信によって送信するデータを含む送信信号を、信号線１０２およびアンテナユニット間の通信路を用いて、無線通信の送信に用いるアンテナを有するアンテナユニットへ送信する。これに対して、アンテナユニット１１０，１２０，１３０，１４０のうちの無線通信の送信に用いるアンテナを有するアンテナユニットは、制御局１０１から送信された送信信号に含まれるデータを自ユニットのアンテナから無線送信する。
【００９８】
これにより、アンテナユニット１１０，１２０，１３０，１４０の一部のみに制御局１０１が接続される構成においても、制御局１０１はアンテナユニット１１０，１２０，１３０，１４０の複数のアンテナを用いた無線送信を行うことができる。
【００９９】
（実施の形態にかかる基地局装置における受信経路）
図１５は、実施の形態にかかる基地局装置における単一ユニット／単一アンテナを用いる受信経路の一例を示す図である。図１５において、図１１に示した部分と同様の部分については同一の符号を付して説明を省略する。図１５に示す例では、基地局装置１００が、図１１に示した経路とは逆に、ＵＬのデータをアンテナ２２７によって受信する。すなわち、図１５に示す例では、単一アンテナを用いる受信と単一ユニットからのストリーム受取が行われる。
【０１００】
アンテナユニット１２０の通信部１２５は、アンテナ２２７によって受信したデータをルータ１２４へ転送する。ルータ１２４は、通信部１２５から転送されたデータに送信先アドレスとして制御局１０１のアドレス「１．１」を付加する。そして、ルータ１２４は、付加したアドレス「１．１」および経路表４００（図４参照）に基づいて、データをアンテナユニット１３０へ転送する。
【０１０１】
アンテナユニット１３０のルータ１３４は、アンテナユニット１２０から転送されたデータを、データに付加されたアドレス「１．１」および経路表５００（図５参照）に基づいて制御局１０１へ転送する。このとき、ルータ１３４は、アドレス「１．１」を削除してデータを制御局１０１へ転送してもよい。
【０１０２】
受信信号１５００は、アンテナユニット１３０から制御局１０１へ転送される受信信号（時間領域の信号）である。受信信号１５００は、データ１５１０を含む。データ１５１０は、ＵＬによって送信されるユーザデータである。
【０１０３】
図１６は、実施の形態にかかる基地局装置における単一ユニット／複数アンテナを用いる受信経路の一例を示す図である。図１６において、図１５に示した部分と同様の部分については同一の符号を付して説明を省略する。図１６に示す例では、基地局装置１００が、図１２に示した経路とは逆に、ＵＬのデータをアンテナ２２５，２２６によって受信する。すなわち、図１６に示す例では、複数アンテナを用いる受信と単一ユニットからのストリーム受取が行われる。
【０１０４】
アンテナユニット１２０の通信部１２５は、アンテナ２２５，２２６によって受信した各データを重み付け合成（重み付け加算）する。そして、通信部１２５は、重み付け合成によって得られたデータをルータ１２４へ転送する。
【０１０５】
図１７は、実施の形態にかかる基地局装置における複数ユニット／単一アンテナを用いる受信経路の一例を示す図である。図１７において、図１６に示した部分と同様の部分については同一の符号を付して説明を省略する。図１７に示す例では、基地局装置１００が、図１３に示した経路とは逆に、ＵＬのデータをアンテナ２１７，２３５，２４６によって受信する。すなわち、図１７に示す例では、単一アンテナを用いる受信と複数ユニットからのストリーム受取が行われる。
【０１０６】
アンテナユニット１１０の通信部１１５は、アンテナ２１７によって受信したデータをルータ１１４へ転送する。ルータ１１４は、通信部１１５から転送されたデータに送信先アドレスとして制御局１０１のアドレス「１．１」を付加する。そして、ルータ１１４は、付加したアドレス「１．１」および経路表３００（図３参照）に基づいて、データをアンテナユニット１２０へ転送する。
【０１０７】
アンテナユニット１２０のルータ１２４は、アンテナユニット１１０から転送されたデータを、データに付加されたアドレス「１．１」および経路表４００（図４参照）に基づいてアンテナユニット１３０へ転送する。
【０１０８】
アンテナユニット１３０の通信部１３５は、アンテナ２３５によって受信したデータをルータ１３４へ転送する。ルータ１３４は、通信部１３５から転送されたデータと、アンテナユニット１２０から転送されたデータと、を重み付け合成する。また、ルータ１３４は、重み付け合成によって得られたデータを、アドレス「１．１」および経路表５００（図５参照）に基づいて制御局１０１へ転送する。このとき、ルータ１３４は、アドレス「１．１」を削除してデータを制御局１０１へ転送してもよい。
【０１０９】
図１８は、実施の形態にかかる基地局装置における複数ユニット／複数アンテナを用いる受信経路の一例を示す図である。図１８において、図１７に示した部分と同様の部分については同一の符号を付して説明を省略する。図１８に示す例では、基地局装置１００が、図１４に示した経路とは逆に、ＵＬのデータをアンテナ２１６，２１７，２３６，２４５，２４６によって受信する。すなわち、図１８に示す例では、複数アンテナを用いる受信と複数ユニットからのストリーム受取が行われる。
【０１１０】
アンテナユニット１１０の通信部１１５は、アンテナ２１６，２１７によって受信した各データを重み付け合成する。そして、通信部１１５は、重み付け合成によって得られたデータをルータ１１４へ転送する。アンテナユニット１４０の通信部１４５は、アンテナ２４５，２４６によって受信した各データを重み付け合成する。そして、通信部１４５は、重み付け合成によって得られたデータをルータ１４４へ転送する。
【０１１１】
図１５〜図１８に示したように、無線通信の受信に用いるアンテナを有するアンテナユニットは、自ユニットのアンテナにより無線受信した受信信号を、アンテナユニット間の通信経路および信号線１０２を用いて制御局１０１へ送信する。制御局１０１は、無線通信の受信に用いるアンテナを有するアンテナユニットから送信された受信信号の処理を行う。制御局１０１による受信信号の処理には、たとえば、再送制御や、アンテナユニット１１０の上位装置への受信信号の転送などが含まれる。
【０１１２】
これにより、アンテナユニット１１０，１２０，１３０，１４０の一部のみに制御局１０１が接続される構成においても、制御局１０１はアンテナユニット１１０，１２０，１３０，１４０の複数のアンテナを用いた無線受信を行うことができる。
【０１１３】
（実施の形態にかかるアンテナユニットによる処理）
図１９は、実施の形態にかかるアンテナユニットによる下り信号に関する処理の一例を示すフローチャートである。アンテナユニット１１０は、下り信号に関する処理として、たとえば図１９に示す各ステップを実行する。アンテナユニット１１０による下り信号に関する処理について説明するが、アンテナユニット１２０，１３０，１４０による下り信号に関する処理についても同様である。
【０１１４】
まず、アンテナユニット１１０は、制御局１０１または他ユニットからルータ１１４へパケットが入力されたか否かを判断し（ステップＳ１９０１）、ルータ１１４へパケットが入力されるまで待つ（ステップＳ１９０１：Ｎｏのループ）。たとえば、アンテナユニット１１０の制御局間Ｉ／Ｆ１１１に制御局１０１が接続されている場合は、制御局１０１からのパケットが制御局間Ｉ／Ｆ１１１を介してルータ１１４へ入力される。また、ユニット間Ｉ／Ｆ１１２，１１３に他ユニットが接続されている場合は、他ユニットからのパケットがユニット間Ｉ／Ｆ１１２，１１３を介してルータ１１４へ入力される。
【０１１５】
ステップＳ１９０１において、ルータ１１４へパケットが入力されると（ステップＳ１９０１：Ｙｅｓ）、アンテナユニット１１０は、入力されたパケットの送信先を示す送信先情報を取得する（ステップＳ１９０２）。パケットの送信先情報は、たとえば上述したヘッダ１１１０のアドレス１１１１である。
【０１１６】
つぎに、アンテナユニット１１０は、ステップＳ１９０２によって取得した送信先情報が示す送信先に他ユニットが含まれているか否かを判断する（ステップＳ１９０３）。送信先に他ユニットが含まれていない場合（ステップＳ１９０３：Ｎｏ）は、アンテナユニット１１０は、ステップＳ１９０５へ移行する。送信先に他ユニットが含まれている場合（ステップＳ１９０３：Ｙｅｓ）は、アンテナユニット１１０は、取得した送信先情報と経路表３００（図３参照）に基づいて、ルータ１１４へ入力されたパケットを他ユニットへ転送する（ステップＳ１９０４）。
【０１１７】
つぎに、アンテナユニット１１０は、ステップＳ１９０２によって取得した送信先情報が示す送信先に自ユニットが含まれているか否かを判断する（ステップＳ１９０５）。送信先に自ユニットが含まれていない場合（ステップＳ１９０５：Ｎｏ）は、アンテナユニット１１０は、一連の処理を終了する。送信先に自ユニットが含まれている場合（ステップＳ１９０５：Ｙｅｓ）は、アンテナユニット１１０は、ルータ１１４へ入力されたパケットを通信部１１５により送信し（ステップＳ１９０６）、一連の処理を終了する。
【０１１８】
ステップＳ１９０１〜Ｓ１９０５は、たとえば、ルータ１１４、またはルータ１１４を制御する制御回路によって実行される。ステップＳ１９０６は、たとえば、ルータ１１４、またはルータ１１４を制御する制御回路により、ルータ１１４から通信部１１５へパケットを転送することにより実行される。なお、ステップＳ１９０３，Ｓ１９０４の処理と、ステップＳ１９０５，Ｓ１９０６の処理と、は順序を入れ替えてもよいし、並列処理によって同時に行ってもよい。
【０１１９】
（実施の形態にかかるアンテナユニットによる処理）
図２０は、実施の形態にかかるアンテナユニットによる上り信号に関する処理の一例を示すフローチャートである。アンテナユニット１１０は、上り信号に関する処理として、たとえば図２０に示す各ステップを実行する。アンテナユニット１１０による上り信号に関する処理について説明するが、アンテナユニット１２０，１３０，１４０による上り信号に関する処理についても同様である。
【０１２０】
まず、アンテナユニット１１０は、通信部１１５または他ユニットからルータ１１４へデータが入力されたか否かを判断し（ステップＳ２００１）、ルータ１１４へデータが入力されるまで待つ（ステップＳ２００１：Ｎｏのループ）。たとえば、アンテナユニット１１０のアンテナによってデータが無線受信されると、受信されたデータが通信部１１５からルータ１１４へ入力される。また、他ユニットからアンテナユニット１１０へＵＬのデータ（パケット）が転送されると、転送されたデータがユニット間Ｉ／Ｆ１１２，１１３からルータ１１４へ入力される。
【０１２１】
ステップＳ２００１において、ルータ１１４へデータが入力されると（ステップＳ２００１：Ｙｅｓ）、アンテナユニット１１０は、ルータ１１４へ入力されたデータと合成するデータがあるか否かを判断する（ステップＳ２００２）。ルータ１１４へ入力されたデータと合成するデータは、そのデータとストリーミングＩＤが同じデータであって、そのデータと同じくルータ１１４へ入力されるデータである。合成するデータがあるか否かは、たとえば他ユニットから転送されたパケットに含まれる合成ユニット番号に自ユニットのユニット番号が含まれているか否かにより判断することができる。
【０１２２】
ステップＳ２００２において、合成するデータがない場合（ステップＳ２００２：Ｎｏ）は、アンテナユニット１１０は、ステップＳ２００４へ移行する。合成するデータがある場合（ステップＳ２００２：Ｙｅｓ）は、アンテナユニット１１０は、ルータ１１４へ入力されたデータと、そのデータと合成するデータと、を合成する合成処理を行う（ステップＳ２００３）。
【０１２３】
つぎに、アンテナユニット１１０は、ルータ１１４へ入力されたパケットを経路表に従って他ユニットまたは制御局１０１へ転送し（ステップＳ２００４）、一連の処理を終了する。ステップＳ２００４において転送されるパケットは、ステップＳ２００３が実行された場合はステップＳ２００３による合成処理によって得られたパケットである。ステップＳ２００１〜Ｓ２００４は、たとえば、ルータ１１４、またはルータ１１４を制御する制御回路により実行される。
【０１２４】
なお、アンテナユニット１１０，１２０，１３０，１４０のそれぞれにおいてデータの合成を行うか否かを判断する処理について説明したが、このような処理に限らない。たとえば、アンテナユニット１１０，１２０，１３０，１４０の各ルータは、たとえば同時期に入力されたＵＬの各データに対して常に合成処理を行うようにしてもよい。また、アンテナユニット１１０，１２０，１３０，１４０の各ルータは、たとえば同時期に入力されたＵＬの各データのうちの同一の偏波によって送信されたデータのみを合成する合成処理を行うようにしてもよい。
【０１２５】
（実施の形態にかかる基地局装置の送信信号の例）
図２１および図２２は、実施の形態にかかる基地局装置が単一ユニット／単一アンテナを用いる場合の送信信号の例を示す図である。たとえば図１１に示したように、基地局装置１００が単一ユニットへのストリーム配信と単一アンテナを用いる送信を行う場合は、制御局１０１が送信するパケット（たとえば送信信号１１００）は、たとえば図２１に示す送信信号２１００とすることができる。
【０１２６】
図２１に示す送信信号２１００は、ユニット番号２１１１と、アンテナ番号２１２１と、データ２１３１と、が含まれる。ユニット番号２１１１は、アンテナユニット１１０，１２０，１３０，１４０のうちの送信に使用する単一のアンテナユニットの識別番号である。アンテナ番号２１２１は、ユニット番号２１１１が示すアンテナユニットの各アンテナのうちの送信に使用する単一のアンテナの識別番号である。
【０１２７】
ユニット番号２１１１およびアンテナ番号２１２１は、たとえば図１１に示したヘッダ１１１０に対応する。データ２１３１は、ＤＬによって送信されるユーザデータ（たとえば図１１に示したデータ１１２０）である。
【０１２８】
または、制御局１０１が送信するパケットは、たとえば図２２に示す送信信号２１００のように、図２１に示したアンテナ番号２１２１に代えてアンテナ素子フラグ２２１１を含むようにしてもよい。アンテナ素子フラグ２２１１は、たとえば、ユニット番号２１１１が示すアンテナユニットの各アンテナについて、使用するか否かを示す情報である。
【０１２９】
図２３および図２４は、実施の形態にかかる基地局装置が単一ユニット／複数アンテナを用いる場合の送信信号の例を示す図である。図２３，図２４において、図２１，図２２に示した部分と同様の部分については同一の符号を付して説明を省略する。たとえば図１２に示したように、基地局装置１００が単一ユニットへのストリーム配信と複数アンテナを用いる送信を行う場合は、制御局１０１が送信するパケットは、たとえば図２３に示す送信信号２１００とすることができる。
【０１３０】
図２３に示す送信信号２１００は、図２１に示したアンテナ番号２１２１に代えてアンテナ番号群２３１１とアンテナウェイト情報群２３２１とを含む。アンテナ番号群２３１１は、ユニット番号２１１１が示すアンテナユニットの各アンテナのうちの送信に使用する複数のアンテナの各識別番号である。アンテナウェイト情報群２３２１は、アンテナ番号群２３１１が示す各アンテナに適用する各重み付け係数を示す。
【０１３１】
または、制御局１０１が送信するパケットは、たとえば図２４に示す送信信号２１００のようにしてもよい。図２４に示す送信信号２１００は、図２３に示したアンテナ番号群２３１１およびアンテナウェイト情報群２３２１に代えてアンテナ番号２４１１，２４１２，…，２４１ｎおよびアンテナウェイト情報２４２１，２４２２，…，２４２ｎを含む。アンテナ番号２４１１，２４１２，…，２４１ｎは、ユニット番号２１１１が示すアンテナユニットの各アンテナのうちの送信に使用するｎ本のアンテナの各識別番号である。アンテナウェイト情報２４２１，２４２２，…，２４２ｎは、それぞれアンテナ番号２４１１，２４１２，…，２４１ｎが示すアンテナに適用するｎ個の重み付け係数を示す。
【０１３２】
図２５は、実施の形態にかかる基地局装置が複数ユニット／単一アンテナを用いる場合の送信信号の例を示す図である。図２５において、図２１〜図２４に示した部分と同様の部分については同一の符号を付して説明を省略する。たとえば図１３に示したように、基地局装置１００が複数ユニットへのストリーム配信と単一アンテナを用いる送信を行う場合は、制御局１０１が送信するパケットは、たとえば図２５に示す送信信号２１００とすることができる。
【０１３３】
図２５に示す送信信号２１００は、ユニット番号２１１１，２１１２，…と、アンテナ番号２１２１，２１２２，…と、アンテナウェイト情報２４２１，２４２２，…と、データ２１３１と、を含む。ユニット番号２１１１，２１１２，…は、アンテナユニット１１０，１２０，１３０，１４０のうちの送信に使用する複数のアンテナユニットの識別番号である。アンテナ番号２１２１，２１２２，…は、それぞれユニット番号２１１１，２１１２，…が示すアンテナユニットの各アンテナのうちの送信に使用する単一のアンテナの識別番号である。アンテナウェイト情報２４２１，２４２２，…は、それぞれアンテナ番号２１２１，２１２２，…が示すアンテナに適用する重み付け係数を示す。
【０１３４】
図２６は、実施の形態にかかる基地局装置が複数ユニット／複数アンテナを用いる場合の送信信号の例を示す図である。図２６において、図２１〜図２５に示した部分と同様の部分については同一の符号を付して説明を省略する。たとえば図１４に示したように、基地局装置１００が複数ユニットへのストリーム配信と複数アンテナを用いる送信を行う場合は、制御局１０１が送信するパケットは、たとえば図２６に示す送信信号２１００とすることができる。
【０１３５】
図２６に示す送信信号２１００は、ユニット番号２１１１，２１１２，…と、アンテナ番号群２３１１，２３１２，…と、アンテナウェイト情報群２３２１，２３２２，…と、データ２１３１と、を含む。アンテナ番号群２３１１，２３１２，…は、それぞれユニット番号２１１１，２１１２，…が示すアンテナユニットの各アンテナのうちの送信に使用する複数のアンテナの識別番号である。アンテナウェイト情報群２３２１，２３２２，…は、それぞれアンテナ番号群２３１１，２３１２，…が示す各アンテナに適用する重み付け係数を示す。
【０１３６】
図２１〜図２６において、制御局１０１が送信する送信信号２１００の各例について説明したが、送信信号２１００のフォーマットはこれらに限らない。たとえば、送信信号２１００は、上述した情報に加えて、無線リソース情報などを含んでいてもよい。無線リソース情報は、たとえば、データ２１３１をマッピングする周波数や時間などの無線リソースを示す情報である。無線リソース情報は、たとえばアンテナユニット１１０，１２０，１３０，１４０のそれぞれの通信部において用いられる。
【０１３７】
（実施の形態にかかる基地局装置の受信信号の例）
図２７は、実施の形態にかかる基地局装置が単一ユニットを用いる場合の受信信号の例を示す図である。たとえば図１５に示したように、基地局装置１００が単一アンテナを用いる受信と単一ユニットからのストリーム受取を行う場合は、各アンテナユニットにより転送される受信信号は、たとえば図２７に示す受信信号２７００とすることができる。また、たとえば図１６に示したように、基地局装置１００が複数アンテナを用いる受信と単一ユニットからのストリーム受取を行う場合にも、各アンテナユニットにより転送される受信信号は、たとえば図２７に示す受信信号２７００とすることができる。
【０１３８】
図２７に示す受信信号２７００は、Ｉ／Ｆユニット番号２７１１と、データ２７２１と、を含む。Ｉ／Ｆユニット番号２７１１は、アンテナユニット１１０，１２０，１３０，１４０のうちの制御局１０１と接続（インタフェース）されたアンテナユニットの識別番号である。データ２７２１は、アンテナユニット１１０，１２０，１３０，１４０のいずれかによって受信されたユーザデータである。
【０１３９】
Ｉ／Ｆユニット番号２７１１は、たとえば、アンテナユニット１１０，１２０，１３０，１４０のうちのデータ２７２１を無線受信したアンテナユニットのルータによってデータ２７２１に付加される。
【０１４０】
アンテナユニット１１０，１２０，１３０，１４０のそれぞれは、Ｉ／Ｆユニット番号２７１１および経路表に基づいて、アンテナユニット１１０，１２０，１３０，１４０のうちの制御局１０１と接続されたアンテナユニットへ受信信号２７００を転送する。アンテナユニット１１０，１２０，１３０，１４０のうちの制御局１０１と接続されたアンテナユニットへ受信信号２７００は、転送された受信信号２７００に含まれるデータ２７２１を、上述したデータ１５１０として制御局１０１へ送信する。
【０１４１】
図２８は、実施の形態にかかる基地局装置が複数ユニットを用いる場合の受信信号の例を示す図である。図２８において、図２７に示した部分と同様の部分については同一の符号を付して説明を省略する。たとえば図１７に示したように基地局装置１００が単一アンテナを用いる受信と複数ユニットからのストリーム受取を行う場合は、各アンテナユニットにより転送される受信信号は、たとえば図２８に示す受信信号２７００とすることができる。また、たとえば図１８に示したように基地局装置１００が複数アンテナを用いる受信と複数ユニットからのストリーム受取を行う場合にも、各アンテナユニットにより転送される受信信号は、たとえば図２８に示す受信信号２７００とすることができる。
【０１４２】
図２８に示す受信信号２７００は、Ｉ／Ｆユニット番号２７１１と、ストリームＩＤ２８１１と、合成ユニット番号２８２１，２８２２，…と、データ２７２１と、を含む。ストリームＩＤ２８１１は、データ２７２１のストリームの識別子である。
【０１４３】
合成ユニット番号２８２１，２８２２，…は、アンテナユニット１１０，１２０，１３０，１４０のうちのデータ２７２１を合成するアンテナユニットの識別番号である。データ２７２１を合成するアンテナユニットとは、ストリームＩＤ２８１１が同じデータ２７２１を含む受信信号２７００が複数入力されるアンテナユニットである。
【０１４４】
アンテナユニット１１０，１２０，１３０，１４０のそれぞれは、合成ユニット番号２８２１，２８２２，…に自局のユニット番号が含まれていた場合は、自局が合成処理を行うアンテナユニットであると判断することができる。合成処理を行うアンテナユニットは、ストリームＩＤ２８１１が同じ複数の受信信号２７００の入力を待ち、入力された複数の受信信号２７００を合成（加算）して転送する。このとき、合成処理を行うアンテナユニットは、合成ユニット番号２８２１，２８２２，…のうちの自局のユニット番号を削除して受信信号２７００を転送してもよい。
【０１４５】
また、図２７，図２８に示したＩ／Ｆユニット番号２７１１に代えて、上述したように送信先アドレスとして制御局１０１のアドレス「１．１」を受信信号２７００に付加するようにしてもよい。この場合は、アンテナユニット１１０，１２０，１３０，１４０のそれぞれは、制御局１０１のアドレス「１．１」および経路表に基づいて受信信号２７００を制御局１０１へ転送する。
【０１４６】
また、図２７，図２８において、各アンテナユニットが転送する受信信号２７００の各例について説明したが、受信信号２７００のフォーマットはこれらに限らない。たとえば、受信信号２７００は、上述した情報に加えてユーザ等を示す情報を含んでいてもよい。
【０１４７】
（実施の形態にかかるアンテナユニットと制御局との間の接続の他の例）
図２９は、実施の形態にかかるアンテナユニットと制御局との間の接続の他の例を示す図である。図２９において、図１に示した部分と同様の部分については同一の符号を付して説明を省略する。たとえば図１に示す例では制御局１０１と制御局間Ｉ／Ｆ１２１とを信号線１０２により接続する構成について説明したが、制御局１０１は制御局間Ｉ／Ｆ１１１，１２１，１３１，１４１のうちの複数の制御局間Ｉ／Ｆと接続されていてもよい。図２９に示す例では、制御局１０１は、信号線１０２を介して制御局間Ｉ／Ｆ１２１と接続され、さらに信号線２９０１を介して制御局間Ｉ／Ｆ１３１と接続されている。
【０１４８】
この場合は、アンテナユニット１２０およびアンテナユニット１３０が、制御局１０１と直接接続されたマスタユニットとなる。このように、基地局装置１００において伝送するデータのスループットに応じて、アンテナユニット１１０，１２０，１３０，１４０と制御局１０１との間の信号線の数を増減させることができる。また、物理的な信号線の数に限らず、たとえば制御局１０１における論理的な通信回線の数を増減させてもよい。
【０１４９】
また、アンテナユニット１１０，１２０，１３０，１４０のそれぞれにＢＢ部を設け、アンテナユニット１１０，１２０，１３０，１４０においてビームフォーミングのプリコードを行う構成について説明したが、このような構成に限らない。たとえば、アンテナユニット１１０，１２０，１３０，１４０にＢＢ部を設けずに、アンテナユニット１１０，１２０，１３０，１４０のプリコードなどのベースバンド処理を制御局１０１において行う構成としてもよい。
【０１５０】
また、ユニット番号およびアンテナ番号の組み合わせによってルーチングを行う構成について説明したが、このような構成に限らない。たとえば、アンテナユニット１１０，１２０，１３０，１４０の全てのアンテナにユニークなアンテナ番号を付加し、アンテナ番号のみでルーチングを行う構成としてもよい。すなわち、上述した送信先アドレスは、送信先のアンテナを特定可能な識別情報であればよい。
【０１５１】
このように、実施の形態にかかる基地局装置によれば、複数のアンテナユニットのうちの一部のアンテナユニットのみを信号線により制御局と接続し、制御局は信号線およびアンテナユニット間の通信路を介して無線通信を行う構成とすることができる。これにより、基地局装置における自由度の高いアンテナ構成が可能になる。
【０１５２】
たとえば、複数のアンテナユニットのうちの制御局と直接接続されていないアンテナユニットは、容易に取り外すことが可能である。また、既存のアンテナユニットに対して新たなアンテナユニットを接続することで、新たなアンテナユニットを制御局と接続しなくてもよいため、アンテナユニットを容易に増設することができる。このため、基地局装置が設置される環境やセル設計等に応じて設定された基地局装置の性能に応じて、アンテナの数、配置、密集度などのアンテナ構成の柔軟な設定が可能になる。また、基地局装置の利用状況等に応じたアンテナ構成の柔軟な変更が可能になる。
【０１５３】
また、複数のアンテナユニットにより実現されるアンテナ装置と制御局とを接続する信号線は、複数のアンテナユニットのうちの一部のアンテナユニットにのみ接続すればよいため、基地局装置における配線を簡易化することができる。
【０１５４】
また、アンテナユニットのそれぞれに、他のアンテナユニットと接続可能なインタフェースを複数設けておくことで、複数のアンテナユニットの組み合わせによって様々なアンテナ構成を実現できるため、アンテナユニットの汎用性を高めることができる。このため、基地局装置の製造コストや設計コストの低減を図ることができる。
【０１５５】
この場合に、複数のアンテナユニットは、複数のインタフェースのうちの他のアンテナユニットと接続されたインタフェースおよびルータによって通信路を形成することができる。また、複数のアンテナユニットのそれぞれに、制御局と通信可能な制御局間Ｉ／Ｆを設けておくことで、複数のアンテナユニットのうちのいずれのアンテナユニットにも制御局を接続することが可能になる。ただし、複数のアンテナユニットの全てに制御局間Ｉ／Ｆを設けずに、少なくとも制御局と接続するアンテナユニットのみに制御局間Ｉ／Ｆを設ける構成としてもよい。
【０１５６】
以上説明したように、基地局装置および通信制御方法によれば、自由度の高いアンテナ構成を実現することができる。自由度の高いアンテナ構成を実現することで、たとえば自由度の高いセル構成が可能になる。
【０１５７】
たとえば、近年、５Ｇ（第５世代移動通信システム）の研究開発が進められている。５Ｇにおいては、データ伝送の高速化に伴い、制御局と光張出しＲＲＨとの間をつなぐ信号線のデータ量が増加することになる。一方で、マッシブアンテナと呼ばれる多数のアンテナ素子で構成されるアンテナが検討されているが、従来とは異なるアンテナ構成であり、実用化に向けた技術開発が求められている。
【０１５８】
たとえば、マッシブアンテナにおいてはアンテナの数、配置、密度など様々なアンテナ構成が有り得るが、たとえばＲＲＨ（アンテナユニット）とＢＢＵ（制御局）をそれぞれ接続する従来技術においては自由度の高いアンテナ構成を実現することができなかった。
【０１５９】
これに対して、上述した実施の形態によれば、複数のアンテナユニットを互いに接続し、そのうちの一部のアンテナユニットのみを信号線により制御局と接続し、制御局は信号線およびアンテナ装置間の通信路を用いて無線通信を行う構成とすることができる。これにより、自由度の高いアンテナ構成が可能になる。
【０１６０】
たとえば、任意のアンテナ構成による無線信号の送受信や、任意のアンテナ構成によるＭＩＭＯ多重およびビームフォーミングなどを低コストで実現することができる。また、複数のアンテナユニットにより伝送される情報量に応じて、アンテナユニットと制御局との間の信号線の論理的または物理的な数を変更することができる。
【符号の説明】
【０１６１】
１００  基地局装置
１０１  制御局
１０２，２９０１  信号線
１１０，１２０，１３０，１４０  アンテナユニット
１１１，１２１，１３１，１４１  制御局間Ｉ／Ｆ
１１２，１１３，１２２，１２３，１３２，１３３，１４２，１４３  ユニット間Ｉ／Ｆ
１１４，１２４，１３４，１４４，７００  ルータ
１１５，１２５，１３５，１４５  通信部
１１６，１２６，１３６，１４６，２１５〜２１７，２２５〜２２７，２３５〜２３７，２４５〜２４７  アンテナ
２１１，２２１，２３１，２４１，９００  ＢＢ部
２１２〜２１４，２２２〜２２４，２３２〜２３４，２４２〜２４４  ＲＦ部
３００，４００，５００，６００  経路表
７１０  アドレス解釈部
７２０  ルーチングテーブル部
７３０  アドレス等変換部
７４０  出力ポート決定部
８１０  信号ＩＤ解釈部
８２０  信号合成管理テーブル部
８３０  データ合成処理部
８４０  出力パケット生成部
９１０  制御信号解釈部
９２０  アンテナ選択・分配部
９３０  アンテナ重み付け部
１０１０  アンテナ重み付け合成部
１０２０  アンテナ選択・合成部
１０３０  制御信号付加部
１０４０  ビームフォーミング制御部
１１００，２１００  送信信号
１１１０  ヘッダ
１１１１  アドレス
１１１２  ウェイト
１１２０，１５１０，２１３１，２７２１  データ
１５００，２７００  受信信号
２１１１，２１１２  ユニット番号
２１２１，２１２２，２４１１，２４１２，…，２４１ｎ  アンテナ番号
２２１１  アンテナ素子フラグ
２３１１，２３１２  アンテナ番号群
２３２１，２３２２  アンテナウェイト情報群
２４２１，２４２２，…，２４２ｎ  アンテナウェイト情報
２７１１  Ｉ／Ｆユニット番号
２８１１  ストリームＩＤ
２８２１，２８２２，…  合成ユニット番号
【図１】
2017126075.tif 000003
【図２】
2017126075.tif 000004
【図３】
2017126075.tif 000005
【図４】
2017126075.tif 000006
【図５】
2017126075.tif 000007
【図６】
2017126075.tif 000008
【図７】
2017126075.tif 000009
【図８】
2017126075.tif 000010
【図９】
2017126075.tif 000011
【図１０】
2017126075.tif 000012
【図１１】
2017126075.tif 000013
【図１２】
2017126075.tif 000014
【図１３】
2017126075.tif 000015
【図１４】
2017126075.tif 000016
【図１５】
2017126075.tif 000017
【図１６】
2017126075.tif 000018
【図１７】
2017126075.tif 000019
【図１８】
2017126075.tif 000020
【図１９】
2017126075.tif 000021
【図２０】
2017126075.tif 000022
【図２１】
2017126075.tif 000023
【図２２】
2017126075.tif 000024
【図２３】
2017126075.tif 000025
【図２４】
2017126075.tif 000026
【図２５】
2017126075.tif 000027
【図２６】
2017126075.tif 000028
【図２７】
2017126075.tif 000029
【図２８】
2017126075.tif 000030
【図２９】
2017126075.tif 000031
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
それぞれアンテナを有する複数のアンテナユニットと、
前記複数のアンテナユニットを互いに通信可能とする通信路と、
前記複数のアンテナユニットのうちの一部のアンテナユニットと信号線を介して接続され、前記信号線および前記通信路を用いて、前記複数のアンテナユニットの前記アンテナのうちの少なくともいずれかによる無線通信を行う制御局と、
を含むことを特徴とする基地局装置。
【請求項２】
前記複数のアンテナユニットのそれぞれは、他のアンテナユニットと接続可能な複数のインタフェースと、前記複数のインタフェースと接続されたルータと、を有し、
前記通信路は、前記複数のアンテナユニットのそれぞれが前記複数のインタフェースのうちの他のアンテナユニットと接続されたインタフェースおよび前記ルータによりルーチングを行うことによって形成される、
ことを特徴とする請求項１に記載の基地局装置。
【請求項３】
前記制御局は、前記無線通信によって送信するデータを含む送信信号を、前記信号線および前記通信路を用いて、前記複数のアンテナユニットのうちの前記無線通信の送信に用いるアンテナを有するアンテナユニットへ送信し、
前記無線通信の送信に用いるアンテナを有するアンテナユニットは、前記制御局から送信された送信信号に含まれる前記データを自ユニットの前記アンテナから無線送信する、
ことを特徴とする請求項１または２に記載の基地局装置。
【請求項４】
前記複数のアンテナユニットのうちの前記無線通信の受信に用いるアンテナを有するアンテナユニットは、自ユニットの前記アンテナにより無線受信した受信信号を、前記通信路および前記信号線を用いて前記制御局へ送信し、
前記制御局は、前記無線通信の受信に用いるアンテナを有するアンテナユニットから送信された前記受信信号の処理を行う、
ことを特徴とする請求項１〜３のいずれか一つに記載の基地局装置。
【請求項５】
それぞれアンテナを有する複数のアンテナユニットと、前記複数のアンテナユニットのうちの一部のアンテナユニットと信号線を介して接続された制御局と、を含む基地局装置による通信制御方法であって、
前記複数のアンテナユニットが、ルーチングにより互いに通信可能な通信路を形成し、
前記制御局が、前記信号線および前記通信路を用いて、前記複数のアンテナユニットの前記アンテナのうちの少なくともいずれかによる無線通信を制御する、
ことを特徴とする通信制御方法。
【手続補正２】
【補正対象書類名】明細書
【補正対象項目名】全文
【補正方法】変更
【補正の内容】
【発明の詳細な説明】
【技術分野】
【０００１】
本発明は、基地局装置および通信制御方法に関する。
【背景技術】
【０００２】
従来、第３世代移動通信システム（３Ｇ）、第３．９世代移動通信システムに対応するＬＴＥ、第４世代移動通信システムに対応するＬＴＥ−Ａｄｖａｎｃｅｄ、第５世代移動通信システム（５Ｇ）などの移動通信システムが知られている。ＬＴＥはＬｏｎｇ  Ｔｅｒｍ  Ｅｖｏｌｕｔｉｏｎの略である。また、移動通信システムの基地局において複数のアンテナを連結する構成が知られている（たとえば、下記特許文献１〜３参照。）。
【先行技術文献】
【特許文献】
【０００３】
【特許文献１】国際公開第２０１２／０２６３１８号
【特許文献２】特開２０１３−３１１６８号公報
【特許文献３】特表２０１４−５１４８４８号公報
【発明の概要】
【発明が解決しようとする課題】
【０００４】
しかしながら、上述した従来技術では、自由度の高いアンテナ構成を実現することが困難な場合がある。たとえば、多数のアンテナを含む基地局装置を構成する場合に、複数のアンテナユニットを組み合わせることが考えられるが、従来技術では複数のアンテナユニットと通信の制御局との間の配線が煩雑化する場合がある。
【０００５】
１つの側面では、本発明は、自由度の高いアンテナ構成を実現することができる基地局装置および通信制御方法を提供することを目的とする。
【課題を解決するための手段】
【０００６】
上述した課題を解決し、目的を達成するため、本発明の一側面によれば、それぞれアンテナを有する複数のアンテナユニットと、前記複数のアンテナユニットを互いに通信可能とする通信路と、前記複数のアンテナユニットのうちの一部のアンテナユニットと信号線を介して接続され、前記信号線および前記通信路を用いて、前記複数のアンテナユニットの前記アンテナのうちの少なくともいずれかによる無線通信を行う制御局と、を含む基地局装置および通信制御方法が提案される。
【発明の効果】
【０００７】
本発明の一側面によれば、自由度の高いアンテナ構成を実現することができるという効果を奏する。
【図面の簡単な説明】
【０００８】
【図１】図１は、実施の形態にかかる基地局装置の一例を示す図である。
【図２】図２は、実施の形態にかかる基地局装置の他の一例を示す図である。
【図３】図３は、実施の形態にかかるアンテナユニット（＃１１）の経路表の一例を示す図である。
【図４】図４は、実施の形態にかかるアンテナユニット（＃１０）の経路表の一例を示す図である。
【図５】図５は、実施の形態にかかるアンテナユニット（＃１２）の経路表の一例を示す図である。
【図６】図６は、実施の形態にかかるアンテナユニット（＃１３）の経路表の一例を示す図である。
【図７】図７は、実施の形態にかかるルータの下り信号に関する構成の一例を示す図である。
【図８】図８は、実施の形態にかかるルータの上り信号に関する構成の一例を示す図である。
【図９】図９は、実施の形態にかかるＢＢ部の下り信号に関する構成の一例を示す図である。
【図１０】図１０は、実施の形態にかかるＢＢ部の上り信号に関する構成の一例を示す図である。
【図１１】図１１は、実施の形態にかかる基地局装置における単一ユニット／単一アンテナを用いる送信経路の一例を示す図である。
【図１２】図１２は、実施の形態にかかる基地局装置における単一ユニット／複数アンテナを用いる送信経路の一例を示す図である。
【図１３】図１３は、実施の形態にかかる基地局装置における複数ユニット／単一アンテナを用いる送信経路の一例を示す図である。
【図１４】図１４は、実施の形態にかかる基地局装置における複数ユニット／複数アンテナを用いる送信経路の一例を示す図である。
【図１５】図１５は、実施の形態にかかる基地局装置における単一ユニット／単一アンテナを用いる受信経路の一例を示す図である。
【図１６】図１６は、実施の形態にかかる基地局装置における単一ユニット／複数アンテナを用いる受信経路の一例を示す図である。
【図１７】図１７は、実施の形態にかかる基地局装置における複数ユニット／単一アンテナを用いる受信経路の一例を示す図である。
【図１８】図１８は、実施の形態にかかる基地局装置における複数ユニット／複数アンテナを用いる受信経路の一例を示す図である。
【図１９】図１９は、実施の形態にかかるアンテナユニットによる下り信号に関する処理の一例を示すフローチャートである。
【図２０】図２０は、実施の形態にかかるアンテナユニットによる上り信号に関する処理の一例を示すフローチャートである。
【図２１】図２１は、実施の形態にかかる基地局装置が単一ユニット／単一アンテナを用いる場合の送信信号の例を示す図（その１）である。
【図２２】図２２は、実施の形態にかかる基地局装置が単一ユニット／単一アンテナを用いる場合の送信信号の例を示す図（その２）である。
【図２３】図２３は、実施の形態にかかる基地局装置が単一ユニット／複数アンテナを用いる場合の送信信号の例を示す図（その１）である。
【図２４】図２４は、実施の形態にかかる基地局装置が単一ユニット／複数アンテナを用いる場合の送信信号の例を示す図（その２）である。
【図２５】図２５は、実施の形態にかかる基地局装置が複数ユニット／単一アンテナを用いる場合の送信信号の例を示す図である。
【図２６】図２６は、実施の形態にかかる基地局装置が複数ユニット／複数アンテナを用いる場合の送信信号の例を示す図である。
【図２７】図２７は、実施の形態にかかる基地局装置が単一ユニットを用いる場合の受信信号の例を示す図である。
【図２８】図２８は、実施の形態にかかる基地局装置が複数ユニットを用いる場合の受信信号の例を示す図である。
【図２９】図２９は、実施の形態にかかるアンテナユニットと制御局との間の接続の他の例を示す図である。
【発明を実施するための形態】
【０００９】
以下に図面を参照して、本発明にかかる基地局装置および通信制御方法の実施の形態を詳細に説明する。
【００１０】
（実施の形態）
（実施の形態にかかる基地局装置）
図１は、実施の形態にかかる基地局装置の一例を示す図である。図１に示すように、実施の形態にかかる基地局装置１００は、制御局１０１と、アンテナユニット１１０，１２０，１３０，１４０と、を含む。たとえば、基地局装置１００は、移動局との間で無線通信を行うことができる基地局である。制御局１０１は、アンテナユニット１１０，１２０，１３０，１４０を用いた無線通信を制御する通信制御装置である。アンテナユニット１１０，１２０，１３０，１４０は、それぞれ１本以上のアンテナを有し、互いに連結可能なユニットである。
【００１１】
基地局装置１００は、制御局１０１の制御により、アンテナユニット１１０，１２０，１３０，１４０の各アンテナを用いたＭＩＭＯ（Ｍｕｌｔｉｐｌｅ  Ｉｎｐｕｔ  Ｍｕｌｔｉｐｌｅ  Ｏｕｔｐｕｔ：多元入力多元出力）を行う。たとえば、基地局装置１００は、ＭＩＭＯを用いたプリコーディング（ビームフォーミング）、空間分割多重化またはダイバーシティコーティングなどを行う。以下においては、基地局装置１００がＭＩＭＯを用いたプリコーディングを行う場合について説明する。
【００１２】
アンテナユニット１１０は、制御局間Ｉ／Ｆ１１１と、ユニット間Ｉ／Ｆ１１２，１１３と、ルータ１１４と、通信部１１５と、アンテナ１１６と、を備える。制御局間Ｉ／Ｆ１１１は、制御局１０１と接続可能な通信インタフェースである。ユニット間Ｉ／Ｆ１１２，１１３は、他のユニットと接続可能な通信インタフェースである。
【００１３】
ルータ１１４は、制御局間Ｉ／Ｆ１１１、ユニット間Ｉ／Ｆ１１２，１１３および通信部１１５と接続され、経路表（ルーチングテーブル）に従った経路切替（ルーチング）を行う中継装置である。通信部１１５は、アンテナ１１６を介して無線信号の送受信を行う通信装置である。また、通信部１１５は、無線信号の送信および無線信号の受信の一方のみを行う構成であってもよい。
【００１４】
アンテナユニット１２０は、制御局間Ｉ／Ｆ１２１と、ユニット間Ｉ／Ｆ１２２，１２３と、ルータ１２４と、通信部１２５と、アンテナ１２６と、を備える。制御局間Ｉ／Ｆ１２１、ユニット間Ｉ／Ｆ１２２，１２３、ルータ１２４、通信部１２５およびアンテナ１２６は、それぞれ制御局間Ｉ／Ｆ１１１、ユニット間Ｉ／Ｆ１１２，１１３、ルータ１１４、通信部１１５およびアンテナ１１６と同様である。
【００１５】
アンテナユニット１３０は、制御局間Ｉ／Ｆ１３１と、ユニット間Ｉ／Ｆ１３２，１３３と、ルータ１３４と、通信部１３５と、アンテナ１３６と、を備える。制御局間Ｉ／Ｆ１３１、ユニット間Ｉ／Ｆ１３２，１３３、ルータ１３４、通信部１３５およびアンテナ１３６は、それぞれ制御局間Ｉ／Ｆ１１１、ユニット間Ｉ／Ｆ１１２，１１３、ルータ１１４、通信部１１５およびアンテナ１１６と同様である。
【００１６】
アンテナユニット１４０は、制御局間Ｉ／Ｆ１４１と、ユニット間Ｉ／Ｆ１４２，１４３と、ルータ１４４と、通信部１４５と、アンテナ１４６と、を備える。制御局間Ｉ／Ｆ１４１、ユニット間Ｉ／Ｆ１４２，１４３、ルータ１４４、通信部１４５およびアンテナ１４６は、それぞれ制御局間Ｉ／Ｆ１１１、ユニット間Ｉ／Ｆ１１２，１１３、ルータ１１４、通信部１１５およびアンテナ１１６と同様である。
【００１７】
図１に示すように、アンテナユニット１１０，１２０，１３０，１４０のそれぞれは、他のアンテナユニット（以下、他ユニットとも称する。）と接続可能なユニット間Ｉ／Ｆを複数有しており、複数の他ユニットと接続可能である。そして、アンテナユニット１１０，１２０，１３０，１４０の各ユニット間Ｉ／Ｆおよび各ルータの少なくともいずれかによって、アンテナユニット１１０，１２０，１３０，１４０が互いに通信可能な通信路が形成される。
【００１８】
図１に示す例では、アンテナユニット１１０のユニット間Ｉ／Ｆ１１２は他のユニットと接続されておらず、アンテナユニット１１０のユニット間Ｉ／Ｆ１１３はアンテナユニット１２０のユニット間Ｉ／Ｆ１２２と接続されている。また、アンテナユニット１２０のユニット間Ｉ／Ｆ１２３はアンテナユニット１３０のユニット間Ｉ／Ｆ１３２と接続されている。また、アンテナユニット１３０のユニット間Ｉ／Ｆ１３３はアンテナユニット１４０のユニット間Ｉ／Ｆ１４２と接続されている。アンテナユニット１４０のユニット間Ｉ／Ｆ１４３は他ユニットと接続されていない。
【００１９】
制御局１０１は、制御局間Ｉ／Ｆ１１１，１２１，１３１，１４１のうちの一部の制御局間Ｉ／Ｆと接続される。図１に示す例では、制御局１０１は、信号線１０２を介して、アンテナユニット１２０の制御局間Ｉ／Ｆ１２１と接続されている。ただし、アンテナユニット１１０，１２０，１３０，１４０と制御局１０１との間の接続は、図１に示す例に限らず、柔軟に変更することが可能である（たとえば図２９参照）。
【００２０】
信号線１０２には、たとえば、ＣＰＲＩ（Ｃｏｍｍｏｎ  Ｐｕｂｌｉｃ  Ｒａｄｉｏ  Ｉｎｔｅｒｆａｃｅ）やＯＲＩ（Ｏｐｅｎ  Ｒａｄｉｏ  Ｅｑｕｉｐｍｅｎｔ  Ｉｎｔｅｒｆａｃｅ）の信号線を用いることができる。ただし、信号線１０２にはこれらに限らず各種の信号線を用いることができる。
【００２１】
図１に示す例において、たとえば、アンテナユニット１１０のユニット間Ｉ／Ｆ１１２は他ユニットと接続されていない。このため、アンテナユニット１１０，１２０，１３０，１４０と同様の新たなアンテナユニットをユニット間Ｉ／Ｆ１１２に接続することで、アンテナユニットを容易に増設することができる。同様に、アンテナユニット１４０のユニット間Ｉ／Ｆ１４３は他ユニットと接続されていない。このため、アンテナユニット１１０，１２０，１３０，１４０と同様の新たなアンテナユニットをユニット間Ｉ／Ｆ１４３に接続することで、アンテナユニットを容易に増設することができる。
【００２２】
また、新たに増設したアンテナユニットにも他ユニットと接続されていないユニット間Ｉ／Ｆが存在するため、さらに新たなアンテナユニットを増設していくことができる。また、新たに増設したアンテナユニットは、ユニット間Ｉ／Ｆによって他ユニットを介して制御局１０１と通信を行うことができるため、新たに増設したアンテナユニットと制御局１０１とを信号線によって直接接続しなくてもよい。
【００２３】
また、たとえば、アンテナユニット１１０と制御局１０１とは直接接続されていないため、基地局装置１００からアンテナユニット１１０を容易に取り外すことができる。同様に、アンテナユニット１４０と制御局１０１とは直接接続されていないため、基地局装置１００からアンテナユニット１４０を容易に取り外すことができる。また、アンテナユニット１３０と制御局１０１との間も直接接続されていないため、基地局装置１００からアンテナユニット１３０，１４０の両方を容易に取り外すこともできる。また、取り外すアンテナユニットは制御局１０１と直接接続されていないため、取り外しは他ユニットとの間でのみ行えばよく、制御局１０１との間の直接接続の切断等は不要である。
【００２４】
このように、各アンテナユニットが複数のユニット間Ｉ／Ｆを有し、制御局１０１は各アンテナユニットのうちの一部のアンテナユニットとのみ接続することで自由度の高いアンテナ構成を実現することができる。たとえば、アンテナユニット１１０，１２０，１３０，１４０と同様の多数のアンテナユニットを製造し、任意の数のアンテナユニットを組み合わせて接続することで、所要のアンテナ構成を効率よく（たとえば安価に）実現することができる。また、基地局装置１００の設置後におけるアンテナユニットの増設や取り外しも容易であるため、アンテナ構成を柔軟に変更することが可能になる。
【００２５】
アンテナユニット１１０，１２０，１３０，１４０のそれぞれは、たとえば、アンテナを有する面が四角形の四角柱の形状とすることができる。これにより、アンテナユニット１１０，１２０，１３０，１４０を効率よく配列することができる。ただし、アンテナユニット１１０，１２０，１３０，１４０の形状はこれに限らず、たとえば、三角錐、五角錐、六角錐（ハニカム構造）の形状としてもよい。
【００２６】
また、図１に示す例ではアンテナユニット１１０，１２０，１３０，１４０を２次元状に連結する構成について説明したが、このような構成に限らない。たとえば、アンテナユニット１１０，１２０，１３０，１４０を六角錐の形状とする場合に、アンテナユニット１１０，１２０，１３０，１４０のそれぞれについて、６個の側面にそれぞれユニット間Ｉ／Ｆを設けることができる。これにより、アンテナユニット１１０，１２０，１３０，１４０を３次元状に連結することができる。また、アンテナユニット１１０，１２０，１３０，１４０は、たとえば、リング状、数珠つなぎ状、ツリー状など各種の形状によって連結することができる。
【００２７】
以下の説明においては、図１に示した例のように、４個のアンテナユニット（アンテナユニット１１０，１２０，１３０，１４０）が連結されて基地局装置１００に含まれた構成について主に説明する。ただし、上述したようにアンテナユニットは増設や取り外しが可能であるため、基地局装置１００はこのような構成に限らず、１〜３個のアンテナユニットを含む構成でもよいし、５個以上のアンテナユニットを含む構成でもよい。
【００２８】
図２は、実施の形態にかかる基地局装置の他の一例を示す図である。図２において、図１に示した部分と同様の部分については同一の符号を付して説明を省略する。図２に示すように、通信部１１５，１２５，１３５，１４５のそれぞれは、たとえばＲＦ部およびＢＢ部により実現することができる。また、図２に示すように、アンテナユニット１１０，１２０，１３０，１４０のそれぞれが複数のアンテナを有する構成としてもよい。
【００２９】
たとえば、図２に示す例では、アンテナユニット１１０の通信部１１５は、ＢＢ部２１１と、ＲＦ部２１２〜２１４と、を有する。また、図２に示すアンテナユニット１１０は、図１に示したアンテナ１１６に代えてアンテナ２１５〜２１７を有する。ＢＢ部２１１は、アンテナ２１５〜２１７を用いた各無線通信のベースバンド処理を行うベースバンド処理部である。
【００３０】
ＢＢ部２１１による受信側のベースバンド処理には、たとえば、復調や復号が含まれる。ＢＢ部２１１による送信側のベースバンド処理には、たとえば、符号化や変調が含まれる。ＢＢ部２１１は、たとえばＤＳＰ（Ｄｉｇｉｔａｌ  Ｓｉｇｎａｌ  Ｐｒｏｃｅｓｓｏｒ）やＦＰＧＡ（Ｆｉｅｌｄ  Ｐｒｏｇｒａｍｍａｂｌｅ  Ｇａｔｅ  Ａｒｒａｙ）などのプロセッサやメモリにより実現することができる。
【００３１】
ＲＦ部２１２〜２１４は、それぞれアンテナ２１５〜２１７に対応して設けられ、それぞれアンテナ２１５〜２１７を用いた無線通信のＲＦ（Ｒａｄｉｏ  Ｆｒｅｑｕｅｎｃｙ：高周波）処理を行う。ＲＦ部２１２〜２１４による受信側のＲＦ処理には、たとえば、増幅、ＲＦ帯からベースバンド帯への周波数変換、アナログ信号からディジタル信号への変換などが含まれる。
【００３２】
ＲＦ部２１２〜２１４による送信側のＲＦ処理には、たとえば、ディジタル信号からアナログ信号への変換、ベースバンド帯からＲＦ帯への周波数変換、増幅などが含まれる。図２に示す例では、アンテナ２１５〜２１７にはアンテナ番号としてそれぞれ＃１〜＃３が割り当てられている。ＲＦ部２１２〜２１４は、たとえば、増幅器、ミキサ、アナログ／ディジタル変換器などの回路により実現することができる。
【００３３】
アンテナユニット１２０の通信部１２５は、ＢＢ部２２１と、ＲＦ部２２２〜２２４と、を有する。また、図２に示すアンテナユニット１２０は、図１に示したアンテナ１２６に代えてアンテナ２２５〜２２７を有する。ＢＢ部２２１、ＲＦ部２２２〜２２４およびアンテナ２２５〜２２７は、それぞれアンテナユニット１１０のＢＢ部２１１、ＲＦ部２１２〜２１４およびアンテナ２１５〜２１７と同様である。図２に示す例では、アンテナ２２５〜２２７にはアンテナ番号としてそれぞれ＃１〜＃３が割り当てられている。
【００３４】
アンテナユニット１３０の通信部１３５は、ＢＢ部２３１と、ＲＦ部２３２〜２３４と、を有する。また、図２に示すアンテナユニット１３０は、図１に示したアンテナ１３６に代えてアンテナ２３５〜２３７を有する。ＢＢ部２３１、ＲＦ部２３２〜２３４およびアンテナ２３５〜２３７は、それぞれアンテナユニット１１０のＢＢ部２１１、ＲＦ部２１２〜２１４およびアンテナ２１５〜２１７と同様である。図２に示す例では、アンテナ２３５〜２３７にはアンテナ番号としてそれぞれ＃１〜＃３が割り当てられている。
【００３５】
アンテナユニット１４０の通信部１４５は、ＢＢ部２４１と、ＲＦ部２４２〜２４４と、を有する。また、図２に示すアンテナユニット１４０は、図１に示したアンテナ１４６に代えてアンテナ２４５〜２４７を有する。ＢＢ部２４１、ＲＦ部２４２〜２４４およびアンテナ２４５〜２４７は、それぞれアンテナユニット１１０のＢＢ部２１１、ＲＦ部２１２〜２１４およびアンテナ２１５〜２１７と同様である。図２に示す例では、アンテナ２４５〜２４７にはアンテナ番号としてそれぞれ＃１〜＃３が割り当てられている。
【００３６】
また、図２に示す例では、アンテナユニット１１０，１２０，１３０，１４０に対してそれぞれユニット番号として＃１１、＃１０、＃１２、＃１３が割り当てられている。たとえば、アンテナユニット１２０を制御局１０１と接続した状態でアンテナユニット１１０，１３０，１４０の順に接続すると、接続した順番に＃１０、＃１１、＃１２、＃１３がそれぞれアンテナユニット１２０，１１０，１３０，１４０に割り当てられる。
【００３７】
また、図２に示す例では、たとえばアンテナユニット１１０におけるルータ１１４の各ポートに対してポート番号（１）〜（４）が割り当てられている。ポート番号（１）は、ルータ１１４の各ポート（出力ポート）のうちの制御局間Ｉ／Ｆ１１１と接続されたポートを示す。ポート番号（２）は、ルータ１１４の各ポートのうちのユニット間Ｉ／Ｆ１１２と接続されたポートを示す。ポート番号（３）は、ルータ１１４の各ポートのうちのユニット間Ｉ／Ｆ１１３と接続されたポートを示す。ポート番号（４）は、ルータ１１４の各ポートのうちの通信部１１５と接続されたポートを示す。アンテナユニット１１０のルータ１１４と同様に、アンテナユニット１２０，１３０，１４０のルータの各ポートに対してもポート番号（１）〜（４）が割り当てられている。
【００３８】
また、制御局１０１にはアドレスとして「１．１」が割り当てられているとする。なお、アンテナユニット１１０，１２０，１３０，１４０がそれぞれ３本のアンテナを有する構成について説明したが、このような構成に限らない。たとえば、アンテナユニット１１０，１２０，１３０，１４０がそれぞれ有するアンテナの数は、１本（図１参照）、２本、または４本以上であってもよい。また、アンテナユニット１１０，１２０，１３０，１４０のそれぞれが有するアンテナの数は互いに異なっていてもよい。
【００３９】
基地局装置１００において、たとえば、連結されたアンテナユニット１１０，１２０，１３０，１４０を１個のＲＲＨ（Ｒｅｍｏｔｅ  Ｒａｄｉｏ  Ｈｅａｄ：無線部）とすることができる。また、制御局１０１は、たとえばＣ−ＢＢＵ（Ｃｅｎｔａｌｉｚｅｄ−Ｂａｓｅ  Ｂａｎｄ  Ｕｎｉｔ）とすることができる。
【００４０】
（ビームフォーミングについて）
つぎに、アンテナユニット１１０，１２０，１３０，１４０を用いたビームフォーミングについて説明する。たとえば、制御局１０１は、基地局装置１００との間で通信を行う移動局との間でＭＩＭＯによるビームフォーミングを行う際に、その移動局との間の無線通信でいずれのアンテナを使用するかを決定する。使用するアンテナは、上り信号と下り信号で同じであってもよいし、異なっていてもよい。ここでは使用するアンテナが上り信号と下り信号で同じである場合について説明する。
【００４１】
また、制御局１０１は、使用するアンテナとして決定した各アンテナについて、それぞれのビームフォーミングの重み付け係数を決定する。ビームフォーミングの重み付け係数は、一例としてはＰＭＩ（Ｐｒｅｃｏｄｉｎｇ  Ｍａｔｒｉｘ  Ｉｎｄｉｃａｔｏｒ：プリコード化マトリクス指標）である。そして、制御局１０１は、使用するアンテナとビームフォーミングの重み付け係数を示す制御情報とともに移動局へのデータをアンテナユニット１２０へ送信する。これにより、移動局へのデータが、使用するアンテナを有する各アンテナユニットへルーチングにより転送され、それらの各アンテナユニットによって重み付けが行われたデータが複数のアンテナによって同時に送信される。
【００４２】
また、制御局１０１は、上り信号においてもビームフォーミングを行う場合は、移動局に対して、制御信号を送信することにより、使用するアンテナとビームフォーミングの重み付け係数を通知する。これにより、移動局から基地局装置１００に対してビームフォーミングによる上り信号の無線送信が行われる。制御局１０１は、移動局へ通知したアンテナおよびビームフォーミングの重み付け係数に基づいて合成処理を行うことにより、ビームフォーミングにより送信された上り信号を合成することができる。
【００４３】
（立上げ時の処理）
つぎに、アンテナユニットを複数連結したときの基地局装置１００の立上げ時の処理について説明する。たとえば、図１に示した構成において、制御局１０１と接続（インタフェース）されたアンテナユニット１２０がマスタユニットとして動作する。マスタユニットとして動作するアンテナユニット１２０は、ルータ１２４のユニット間Ｉ／Ｆ１２２，１２３に接続されたアンテナユニット１１０，１３０のユニット番号を登録する。これにより、制御局１０１から届いたデータをアンテナユニット１２０から所望のアンテナユニットに振り分けることができる。
【００４４】
また、他のアンテナユニット（アンテナユニット１１０，１３０，１４０）においても、それぞれのユニット間Ｉ／Ｆに直接的または間接的に接続されている他ユニットのユニット番号を登録しておく。立上げ時における各アンテナユニットによるこれらの登録結果は、たとえば経路表として各アンテナユニットの各メモリに記憶される。
【００４５】
以上により、連結されたアンテナユニットの構成を管理し、任意のアンテナ番号に対してデータを送ることが可能となる。また、基地局装置１００の受信信号は、マスタユニットに向かって転送されることになる。また、隣り合うアンテナユニットから全体の連結構成を把握することで、全体の接続状況を制御局１０１で把握することも可能である。
【００４６】
（実施の形態にかかるアンテナユニットの経路表）
図３は、実施の形態にかかるアンテナユニット（＃１１）の経路表の一例を示す図である。ユニット番号が＃１１であるアンテナユニット１１０のルータ１１４は、たとえば図３に示す経路表３００にアクセス可能である。経路表３００は、たとえばアンテナユニット１１０が備えるメモリに記憶される。
【００４７】
経路表３００は、パケットの送信先アドレスごとに、ルータ１１４の各ポートのうちのパケットの出力先のポートを示すポート番号が対応付けられたルーチングテーブルである。たとえば、基地局装置１００において、基地局装置１００が送信するパケットであるＤＬ（ダウンリンク）のパケットの送信先アドレスの形式として［ユニット番号．アンテナ番号］の形式が用いられるとする。また、基地局装置１００において、基地局装置１００が受信するパケットであるＵＬ（アップリンク）のパケットの送信先アドレスは制御局１０１の「１．１」である。
【００４８】
経路表３００においては、アンテナユニット１１０（ユニット番号＃１１）における任意のアンテナを示す送信先アドレス「１１．Ｘ」にはポート番号（４）が対応付けられている。これにより、ルータ１１４は、アンテナユニット１１０のアンテナを送信先とするＤＬのパケットを通信部１１５へ転送することができる。
【００４９】
また、経路表３００においては、制御局１０１を示す送信先アドレス「１．１」にはポート番号（３）が対応付けられている。これにより、ルータ１１４は、制御局１０１を送信先とするＵＬのパケットを、ユニット間Ｉ／Ｆ１１３を介してアンテナユニット１２０へ転送することができる。
【００５０】
図４は、実施の形態にかかるアンテナユニット（＃１０）の経路表の一例を示す図である。図４において、図３に示した部分と同様の部分については説明を省略する。ユニット番号が＃１０であるアンテナユニット１２０のルータ１２４は、たとえば図４に示す経路表４００にアクセス可能である。経路表４００は、たとえばアンテナユニット１２０が備えるメモリに記憶される。経路表４００は、パケットの送信先アドレスごとに、ルータ１２４の各ポートのうちのパケットの出力先のポートを示すポート番号が対応付けられたルーチングテーブルである。
【００５１】
経路表４００においては、アンテナユニット１２０（ユニット番号＃１０）における任意のアンテナを示す送信先アドレス「１０．Ｘ」にはポート番号（４）が対応付けられている。これにより、ルータ１２４は、アンテナユニット１２０のアンテナを送信先とするＤＬのパケットを通信部１２５へ転送することができる。
【００５２】
また、経路表４００においては、アンテナユニット１１０（ユニット番号＃１１）における任意のアンテナを示す送信先アドレス「１１．Ｘ」にはポート番号（２）が対応付けられている。これにより、ルータ１２４は、アンテナユニット１１０のアンテナを送信先とするＤＬのパケットを、ユニット間Ｉ／Ｆ１２２を介してアンテナユニット１１０へ転送することができる。
【００５３】
また、経路表４００においては、アンテナユニット１３０（ユニット番号＃１２）における任意のアンテナを示す送信先アドレス「１２．Ｘ」にはポート番号（３）が対応付けられている。これにより、ルータ１２４は、アンテナユニット１３０のアンテナを送信先とするＤＬのパケットを、ユニット間Ｉ／Ｆ１２３を介してアンテナユニット１３０へ転送することができる。
【００５４】
また、経路表４００においては、アンテナユニット１４０（ユニット番号＃１３）における任意のアンテナを示す送信先アドレス「１３．Ｘ」にはポート番号（３）が対応付けられている。これにより、ルータ１２４は、アンテナユニット１４０のアンテナを送信先とするＤＬのパケットを、ユニット間Ｉ／Ｆ１２３を介してアンテナユニット１３０へ転送することができる。
【００５５】
また、経路表４００においては、制御局１０１を示す送信先アドレス「１．１」にはポート番号（１）が対応付けられている。これにより、ルータ１２４は、制御局１０１を送信先とするＵＬのパケットを、制御局間Ｉ／Ｆ１２１を介して制御局１０１へ転送することができる。
【００５６】
図５は、実施の形態にかかるアンテナユニット（＃１２）の経路表の一例を示す図である。図５において、図３，図４に示した部分と同様の部分については説明を省略する。ユニット番号が＃１２であるアンテナユニット１３０のルータ１３４は、たとえば図５に示す経路表５００にアクセス可能である。経路表５００は、たとえばアンテナユニット１３０が備えるメモリに記憶される。経路表５００は、パケットの送信先アドレスごとに、ルータ１３４の各ポートのうちのパケットの出力先のポートを示すポート番号が対応付けられたルーチングテーブルである。
【００５７】
経路表５００においては、アンテナユニット１３０（ユニット番号＃１２）における任意のアンテナを示す送信先アドレス「１２．Ｘ」にはポート番号（４）が対応付けられている。これにより、ルータ１３４は、アンテナユニット１３０のアンテナを送信先とするＤＬのパケットを通信部１３５へ転送することができる。
【００５８】
また、経路表５００においては、アンテナユニット１４０（ユニット番号＃１３）における任意のアンテナを示す送信先アドレス「１３．Ｘ」にはポート番号（３）が対応付けられている。これにより、ルータ１３４は、アンテナユニット１４０のアンテナを送信先とするＤＬのパケットを、ユニット間Ｉ／Ｆ１３３を介してアンテナユニット１４０へ転送することができる。
【００５９】
また、経路表５００においては、制御局１０１を示す送信先アドレス「１．１」にはポート番号（２）が対応付けられている。これにより、ルータ１３４は、制御局１０１を送信先とするＵＬのパケットを、ユニット間Ｉ／Ｆ１３２を介してアンテナユニット１２０へ転送することができる。
【００６０】
図６は、実施の形態にかかるアンテナユニット（＃１３）の経路表の一例を示す図である。図６において、図３〜図５に示した部分と同様の部分については説明を省略する。ユニット番号が＃１３であるアンテナユニット１４０のルータ１４４は、たとえば図６に示す経路表６００にアクセス可能である。経路表６００は、たとえばアンテナユニット１４０が備えるメモリに記憶される。経路表６００は、パケットの送信先アドレスごとに、ルータ１４４の各ポートのうちのパケットの出力先のポートを示すポート番号が対応付けられたルーチングテーブルである。
【００６１】
経路表６００においては、アンテナユニット１４０（ユニット番号＃１３）における任意のアンテナを示す送信先アドレス「１３．Ｘ」にはポート番号（４）が対応付けられている。これにより、ルータ１４４は、アンテナユニット１４０のアンテナを送信先とするＤＬのパケットを通信部１４５へ転送することができる。
【００６２】
また、経路表６００においては、制御局１０１を示す送信先アドレス「１．１」にはポート番号（２）が対応付けられている。これにより、ルータ１４４は、制御局１０１を送信先とするＵＬのパケットを、ユニット間Ｉ／Ｆ１４２を介してアンテナユニット１３０へ転送することができる。
【００６３】
（実施の形態にかかるルータの構成）
図７は、実施の形態にかかるルータの下り信号に関する構成の一例を示す図である。ルータ１１４，１２４，１３４，１４４のそれぞれは、たとえば図７，図８に示すルータ７００により実現することができる。図７に示すように、ルータ７００は、下り信号に関する構成として、アドレス解釈部７１０と、ルーチングテーブル部７２０と、アドレス等変換部７３０と、出力ポート決定部７４０と、を有する。
【００６４】
アドレス解釈部７１０は、ルータ７００のＤＬの入力ポートから入力されたパケットの送信先アドレスを解釈する。ＤＬの入力ポートには、たとえば上述した制御局間Ｉ／Ｆ（たとえば制御局間Ｉ／Ｆ１１１）との間のポートや、上述したユニット間Ｉ／Ｆ（たとえばユニット間Ｉ／Ｆ１１２，１１３）との間のポートが含まれる。ルーチングテーブル部７２０は、たとえば図３〜図６に示したような経路表にアクセスし、アドレス解釈部７１０によって解釈された送信先アドレスに対応するポート番号を特定する。
【００６５】
アドレス等変換部７３０は、ルーチングテーブル部７２０によって特定されたポート番号の出力先がＢＢ部である場合に、送信先アドレス等の変換を変換してパケットをＢＢ部へ出力する。送信先アドレス等の変換には、たとえば、パケットの送信先アドレスに含まれるユニット番号の削除などが含まれる。
【００６６】
出力ポート決定部７４０は、ルーチングテーブル部７２０によって特定されたポート番号の出力先が他ユニットである場合に、ルータ７００に接続された複数のユニット間Ｉ／Ｆに対応する各ポートのうちの出力先のポートを決定する。そして、出力ポート決定部７４０は、出力先として決定したポート（出力ポート）からパケットを出力することで、ルータ７００へ入力されたパケットを他ユニットへ転送する。
【００６７】
このように、ルータ７００は、制御局１０１から送信されてきた下り信号を、任意のアンテナユニットの任意のアンテナに送り届ける構成を有する。また、ルータ７００は、１以上のアンテナユニットの複数のアンテナに、同一データを配信できる機能を有する。これは、信号の分配および重み付けの後に送信を行うことで、送信ビームフォーミングを実現するためにある。
【００６８】
図８は、実施の形態にかかるルータの上り信号に関する構成の一例を示す図である。図８に示すように、ルータ７００は、上り信号に関する構成として、信号ＩＤ解釈部８１０と、信号合成管理テーブル部８２０と、データ合成処理部８３０と、出力パケット生成部８４０と、を有する。
【００６９】
信号ＩＤ解釈部８１０は、ルータ７００のＵＬの入力ポートから入力されたパケットの信号ＩＤを解釈する。ＵＬの入力ポートには、たとえば上述したユニット間Ｉ／Ｆ（たとえばユニット間Ｉ／Ｆ１１２，１１３）との間のポートが含まれる。信号ＩＤは、たとえばデータのストリームを識別するストリームＩＤである。信号合成管理テーブル部８２０は、複数のアンテナによって受信された各データを合成するアンテナユニットを特定可能な信号合成管理テーブルにアクセスし、入力されたパケットのデータを自ユニットで合成するか否かを判断する。
【００７０】
データ合成処理部８３０は、信号合成管理テーブル部８２０による判断結果に基づいて、入力されたパケットのデータの合成処理を行う。たとえばデータ合成処理部８３０は、合成処理を行う場合に、信号ＩＤ解釈部８１０によって解釈される信号ＩＤ（ストリーミングＩＤ）が同一の各データの待ち合わせを行い、信号ＩＤ（ストリーミングＩＤ）が同一の各データの合成（加算）を行う。データ合成処理部８３０が合成するデータは、上述したＵＬの入力ポートから入力されたデータ（他ユニットにより無線受信されたデータ）や、自ユニットのＢＢ部から入力されたデータ（自ユニットにより無線受信されたデータ）が含まれる。
【００７１】
出力パケット生成部８４０は、データ合成処理部８３０によって合成されたデータや、ＵＬの入力パケットまたは自ユニットのＢＢ部から入力されデータ合成処理部８３０によって合成されなかったデータを含むパケット（出力パケット）を生成する。そして、出力パケット生成部８４０は、生成したパケットを所定の出力ポートから出力する。出力パケット生成部８４０による出力ポートからのパケットの出力は、たとえば図３〜図６に示したような経路表に基づいて行われてもよいし、出力パケット生成部８４０に対して予め設定された出力先ポートによって行われてもよい。
【００７２】
このように、ルータ７００は、任意のアンテナユニットの任意のアンテナ素子で受信された上り信号を制御局１０１に送り届ける機能を有する。また、ルータ７００は、１以上のアンテナユニットの複数のアンテナの信号を、合成処理し、その後にルーチングを行う機能を有する。これは、受信ビームフォーミングまたはその一部を実現するためにある。
【００７３】
（実施の形態にかかるＢＢ部の構成）
図９は、実施の形態にかかるＢＢ部の下り信号に関する構成の一例を示す図である。ＢＢ部２１１，２２１，２３１，２４１のそれぞれは、たとえば図９，図１０に示すＢＢ部９００により実現することができる。図８に示すように、ＢＢ部９００は、下り信号に関する構成として、制御信号解釈部９１０と、アンテナ選択・分配部９２０と、アンテナ重み付け部９３０と、を有する。
【００７４】
制御信号解釈部９１０は、自ユニットのルータから転送されたパケットに含まれる制御信号の解釈を行う。制御信号解釈部９１０によって解釈される制御信号には、たとえば送信先のアンテナのアンテナ番号や、送信先のアンテナに対応するビームフォーミングの重み付け係数（ウェイト）などが含まれる。
【００７５】
アンテナ選択・分配部９２０は、自ユニットのルータから転送されたパケットの送信先のアンテナを、制御信号解釈部９１０によって解釈された制御信号に含まれるアンテナ番号に基づいて選択する。そして、アンテナ選択・分配部９２０は、自ユニットのルータから転送されたパケットのデータを、選択した送信先に対応する経路に分配して出力する。選択した送信先に対応する経路は、たとえば選択した送信先のアンテナに対応するＲＦと接続された経路である。
【００７６】
アンテナ重み付け部９３０は、アンテナ選択・分配部９２０によって分配されて出力されたデータを、制御信号解釈部９１０によって解釈された制御信号に含まれるウェイトに基づいて重み付け（乗算）して自ユニットのＲＦ部へ出力する。これにより、重み付けしたデータを自ユニットのアンテナから無線送信し、下りのビームフォーミングを行うことができる。
【００７７】
図１０は、実施の形態にかかるＢＢ部の上り信号に関する構成の一例を示す図である。図１０に示すように、ＢＢ部９００は、上り信号に関する構成として、アンテナ重み付け合成部１０１０と、アンテナ選択・合成部１０２０と、制御信号付加部１０３０と、ビームフォーミング制御部１０４０と、を有する。
【００７８】
アンテナ重み付け合成部１０１０は、自ユニットの各アンテナによって受信される各データを、ビームフォーミング制御部１０４０からの制御に従って重み付け合成（重み付け加算）してアンテナ選択・合成部１０２０へ出力する。アンテナ選択・合成部１０２０は、アンテナ重み付け合成部１０１０によって重み付け合成された各データを、ビームフォーミング制御部１０４０からの制御に従って合成（加算）し、加算により得られたデータを自ユニットのルータへ転送する。
【００７９】
制御信号付加部１０３０は、アンテナ選択・合成部１０２０が自ユニットのルータへ転送するデータに対して、制御信号を付加する。たとえば、制御信号付加部１０３０は、信号ＩＤ（ストリーミングＩＤ）などの制御信号をデータに付加する。この制御情報は、たとえば、制御局１０１が行ったスケジューリングの結果に基づいて付加することができる。制御局１０１が行ったスケジューリングの結果は、たとえばＢＢ部９００が自ユニットのルータを介して制御局１０１から取得することができる。または、制御信号付加部１０３０が付加する制御情報は、送信先である制御局１０１のアドレスや、制御局１０１と接続されたアンテナユニットのユニット番号などであってもよい。
【００８０】
ビームフォーミング制御部１０４０は、アンテナ重み付け合成部１０１０による重み付け合成およびアンテナ選択・合成部１０２０による合成を制御する。たとえば、上り信号に対して下り信号と同様のビームフォーミングが行われるとする。この場合は、ビームフォーミング制御部１０４０は、図９に示した制御信号解釈部９１０による制御パラメータに対応する制御パラメータを用いてアンテナ重み付け合成部１０１０およびアンテナ選択・合成部１０２０の制御を行う。この制御パラメータには、無線信号の送受信に用いるアンテナのアンテナ番号や、無線信号の送受信に用いるアンテナに対応するウェイトなどが含まれる。
【００８１】
（実施の形態にかかる基地局装置における送信経路）
図１１は、実施の形態にかかる基地局装置における単一ユニット／単一アンテナを用いる送信経路の一例を示す図である。図１１において、図２に示した部分と同様の部分については同一の符号を付して説明を省略する。ただし、図１１においては、ユニット間Ｉ／Ｆ、ＢＢ部、ＲＦ部の図示を省略している。また、図１１に示す例では、制御局１０１は、信号線１０２を介してアンテナユニット１３０の制御局間Ｉ／Ｆ１３１と接続されている。図１２〜図１８についても同様である。
【００８２】
送信信号１１００は、制御局１０１が信号線１０２を介してアンテナユニット１３０へ送信するＤＬのパケット（時間領域の信号）である。送信信号１１００は、ヘッダ１１１０と、データ１１２０と、を含む。ヘッダ１１１０は、たとえば制御局１０１によって付されたヘッダであり、アドレス１１１１を含む。アドレス１１１１は、アンテナユニット１１０，１２０，１３０，１４０の各アンテナのうちの送信先のアンテナを示す送信先アドレス（識別情報）である。
【００８３】
図１１に示す例では、アドレス１１１１は、アンテナユニット１２０のアンテナ２２７を示すアドレス（たとえば「１０．３」）であるとする。すなわち、図１１に示す例では、単一ユニットへのストリーム配信と単一アンテナを用いる送信が行われる。データ１１２０は、ＤＬによって送信されるユーザデータである。
【００８４】
制御局１０１から送信された送信信号１１００は、アンテナユニット１３０の制御局間Ｉ／Ｆ１３１を介してルータ１３４へ入力される。ルータ１３４は、送信信号１１００のアドレス１１１１および経路表５００（図５参照）に基づいて、送信信号１１００をアンテナユニット１２０へ転送する。
【００８５】
アンテナユニット１３０からアンテナユニット１２０へ転送された送信信号１１００は、アンテナユニット１２０のルータ１２４へ入力される。ルータ１２４は、送信信号１１００のアドレス１１１１および経路表４００（図４参照）に基づいて、送信信号１１００を通信部１２５へ転送する。通信部１２５は、ルータ１２４から転送された送信信号１１００のデータ１１２０を、アドレス１１１１に基づいてアンテナ２２７から送信する。
【００８６】
図１２は、実施の形態にかかる基地局装置における単一ユニット／複数アンテナを用いる送信経路の一例を示す図である。図１２において、図１１に示した部分と同様の部分については同一の符号を付して説明を省略する。図１２に示す例では、アドレス１１１１は、アンテナユニット１２０のアンテナ２２５，２２６を示す複数のアドレス（たとえば「１０．１」および「１０．２」）であるとする。すなわち、図１２に示す例では、単一ユニットへのストリーム配信と複数アンテナを用いる送信が行われる。
【００８７】
また、図１２に示す例では、送信信号１１００にはアドレス１１１１およびウェイト１１１２が含まれる。ウェイト１１１２は、アドレス１１１１が複数のアンテナを示す場合に、複数のアンテナ間の重み付け係数を示す情報である。通信部１２５は、ルータ１２４から転送された送信信号１１００のデータ１１２０を、アドレス１１１１に基づいてアンテナ２２５，２２６に分配して送信する。また、通信部１２５は、アンテナ２２５，２２６から送信する各信号を、ウェイト１１１２に基づいて重み付けする。
【００８８】
図１３は、実施の形態にかかる基地局装置における複数ユニット／単一アンテナを用いる送信経路の一例を示す図である。図１３において、図１２に示した部分と同様の部分については同一の符号を付して説明を省略する。図１３に示す例では、アドレス１１１１は、アンテナ２１７，２３５，２４６を示す複数のアドレス（たとえば「１１．３」、「１２．１」、「１３．２」）であるとする。すなわち、図１３に示す例では、複数ユニットへのストリーム配信と単一アンテナを用いる送信が行われる。
【００８９】
アンテナユニット１３０のルータ１３４は、送信信号１１００のアドレス１１１１および経路表５００（図５参照）に基づいて、送信信号１１００を、通信部１３５およびアンテナユニット１２０，１４０へ転送する。通信部１３５は、ルータ１３４から転送された送信信号１１００のデータ１１２０を、アドレス１１１１に基づいてアンテナ２３５から送信する。また、通信部１３５は、データ１１２０を、ウェイト１１１２に含まれるアンテナ２３５の係数によって重み付けしてアンテナ２３５から送信する。
【００９０】
アンテナユニット１２０のルータ１２４は、アンテナユニット１３０から転送された送信信号１１００を、送信信号１１００のアドレス１１１１および経路表４００（図４参照）に基づいてアンテナユニット１１０へ転送する。
【００９１】
アンテナユニット１１０のルータ１１４は、アンテナユニット１２０から転送された送信信号１１００を、送信信号１１００のアドレス１１１１および経路表３００（図３参照）に基づいて通信部１１５へ転送する。通信部１１５は、ルータ１１４から転送された送信信号１１００のデータ１１２０を、アドレス１１１１に基づいてアンテナ２１７から送信する。また、通信部１１５は、データ１１２０を、ウェイト１１１２に含まれるアンテナ２１７の係数によって重み付けしてアンテナ２１７から送信する。
【００９２】
アンテナユニット１４０のルータ１４４は、アンテナユニット１３０から転送された送信信号１１００を、送信信号１１００のアドレス１１１１および経路表６００（図６参照）に基づいて通信部１４５へ転送する。通信部１４５は、ルータ１４４から転送された送信信号１１００のデータ１１２０を、アドレス１１１１に基づいてアンテナ２４６から送信する。また、通信部１４５は、データ１１２０を、ウェイト１１１２に含まれるアンテナ２４６の係数によって重み付けしてアンテナ２４６から送信する。
【００９３】
図１４は、実施の形態にかかる基地局装置における複数ユニット／複数アンテナを用いる送信経路の一例を示す図である。図１４において、図１３に示した部分と同様の部分については同一の符号を付して説明を省略する。図１４に示す例では、アドレス１１１１は、アンテナ２１６，２１７，２３６，２４５，２４６を示す複数のアドレス（たとえば「１１．２」、「１１．３」、「１２．２」、「１３．１」、「１３．２」）であるとする。すなわち、図１４に示す例では、複数ユニットへのストリーム配信と複数アンテナを用いる送信が行われる。
【００９４】
アンテナユニット１３０の通信部１３５は、ルータ１３４から転送された送信信号１１００のデータ１１２０を、アドレス１１１１に基づいてアンテナ２３６から送信する。また、通信部１３５は、データ１１２０を、ウェイト１１１２に含まれるアンテナ２３６の各係数によって重み付けしてアンテナ２３６から送信する。
【００９５】
アンテナユニット１１０の通信部１１５は、ルータ１１４から転送された送信信号１１００のデータ１１２０を、アドレス１１１１に基づいてアンテナ２１６，２１７から送信する。また、通信部１１５は、データ１１２０を、ウェイト１１１２に含まれるアンテナ２１６，２１７の各係数によって重み付けしてアンテナ２１６，２１７から送信する。
【００９６】
アンテナユニット１４０の通信部１４５は、ルータ１４４から転送された送信信号１１００のデータ１１２０を、アドレス１１１１に基づいてアンテナ２４５，２４６から送信する。また、通信部１４５は、データ１１２０を、ウェイト１１１２に含まれるアンテナ２４５，２４６の各係数によって重み付けしてアンテナ２４５，２４６から送信する。
【００９７】
図１１〜図１４に示したように、制御局１０１は、無線通信によって送信するデータを含む送信信号を、信号線１０２およびアンテナユニット間の通信路を用いて、無線通信の送信に用いるアンテナを有するアンテナユニットへ送信する。これに対して、アンテナユニット１１０，１２０，１３０，１４０のうちの無線通信の送信に用いるアンテナを有するアンテナユニットは、制御局１０１から送信された送信信号に含まれるデータを自ユニットのアンテナから無線送信する。
【００９８】
これにより、アンテナユニット１１０，１２０，１３０，１４０の一部のみに制御局１０１が接続される構成においても、制御局１０１はアンテナユニット１１０，１２０，１３０，１４０の複数のアンテナを用いた無線送信を行うことができる。
【００９９】
（実施の形態にかかる基地局装置における受信経路）
図１５は、実施の形態にかかる基地局装置における単一ユニット／単一アンテナを用いる受信経路の一例を示す図である。図１５において、図１１に示した部分と同様の部分については同一の符号を付して説明を省略する。図１５に示す例では、基地局装置１００が、図１１に示した経路とは逆に、ＵＬのデータをアンテナ２２７によって受信する。すなわち、図１５に示す例では、単一アンテナを用いる受信と単一ユニットからのストリーム受取が行われる。
【０１００】
アンテナユニット１２０の通信部１２５は、アンテナ２２７によって受信したデータをルータ１２４へ転送する。ルータ１２４は、通信部１２５から転送されたデータに送信先アドレスとして制御局１０１のアドレス「１．１」を付加する。そして、ルータ１２４は、付加したアドレス「１．１」および経路表４００（図４参照）に基づいて、データをアンテナユニット１３０へ転送する。
【０１０１】
アンテナユニット１３０のルータ１３４は、アンテナユニット１２０から転送されたデータを、データに付加されたアドレス「１．１」および経路表５００（図５参照）に基づいて制御局１０１へ転送する。このとき、ルータ１３４は、アドレス「１．１」を削除してデータを制御局１０１へ転送してもよい。
【０１０２】
受信信号１５００は、アンテナユニット１３０から制御局１０１へ転送される受信信号（時間領域の信号）である。受信信号１５００は、データ１５１０を含む。データ１５１０は、ＵＬによって送信されるユーザデータである。
【０１０３】
図１６は、実施の形態にかかる基地局装置における単一ユニット／複数アンテナを用いる受信経路の一例を示す図である。図１６において、図１５に示した部分と同様の部分については同一の符号を付して説明を省略する。図１６に示す例では、基地局装置１００が、図１２に示した経路とは逆に、ＵＬのデータをアンテナ２２５，２２６によって受信する。すなわち、図１６に示す例では、複数アンテナを用いる受信と単一ユニットからのストリーム受取が行われる。
【０１０４】
アンテナユニット１２０の通信部１２５は、アンテナ２２５，２２６によって受信した各データを重み付け合成（重み付け加算）する。そして、通信部１２５は、重み付け合成によって得られたデータをルータ１２４へ転送する。
【０１０５】
図１７は、実施の形態にかかる基地局装置における複数ユニット／単一アンテナを用いる受信経路の一例を示す図である。図１７において、図１６に示した部分と同様の部分については同一の符号を付して説明を省略する。図１７に示す例では、基地局装置１００が、図１３に示した経路とは逆に、ＵＬのデータをアンテナ２１７，２３５，２４６によって受信する。すなわち、図１７に示す例では、単一アンテナを用いる受信と複数ユニットからのストリーム受取が行われる。
【０１０６】
アンテナユニット１１０の通信部１１５は、アンテナ２１７によって受信したデータをルータ１１４へ転送する。ルータ１１４は、通信部１１５から転送されたデータに送信先アドレスとして制御局１０１のアドレス「１．１」を付加する。そして、ルータ１１４は、付加したアドレス「１．１」および経路表３００（図３参照）に基づいて、データをアンテナユニット１２０へ転送する。
【０１０７】
アンテナユニット１２０のルータ１２４は、アンテナユニット１１０から転送されたデータを、データに付加されたアドレス「１．１」および経路表４００（図４参照）に基づいてアンテナユニット１３０へ転送する。
【０１０８】
アンテナユニット１３０の通信部１３５は、アンテナ２３５によって受信したデータをルータ１３４へ転送する。ルータ１３４は、通信部１３５から転送されたデータと、アンテナユニット１２０から転送されたデータと、を重み付け合成する。また、ルータ１３４は、重み付け合成によって得られたデータを、アドレス「１．１」および経路表５００（図５参照）に基づいて制御局１０１へ転送する。このとき、ルータ１３４は、アドレス「１．１」を削除してデータを制御局１０１へ転送してもよい。
【０１０９】
図１８は、実施の形態にかかる基地局装置における複数ユニット／複数アンテナを用いる受信経路の一例を示す図である。図１８において、図１７に示した部分と同様の部分については同一の符号を付して説明を省略する。図１８に示す例では、基地局装置１００が、図１４に示した経路とは逆に、ＵＬのデータをアンテナ２１６，２１７，２３６，２４５，２４６によって受信する。すなわち、図１８に示す例では、複数アンテナを用いる受信と複数ユニットからのストリーム受取が行われる。
【０１１０】
アンテナユニット１１０の通信部１１５は、アンテナ２１６，２１７によって受信した各データを重み付け合成する。そして、通信部１１５は、重み付け合成によって得られたデータをルータ１１４へ転送する。アンテナユニット１４０の通信部１４５は、アンテナ２４５，２４６によって受信した各データを重み付け合成する。そして、通信部１４５は、重み付け合成によって得られたデータをルータ１４４へ転送する。
【０１１１】
図１５〜図１８に示したように、無線通信の受信に用いるアンテナを有するアンテナユニットは、自ユニットのアンテナにより無線受信した受信信号を、アンテナユニット間の通信経路および信号線１０２を用いて制御局１０１へ送信する。制御局１０１は、無線通信の受信に用いるアンテナを有するアンテナユニットから送信された受信信号の処理を行う。制御局１０１による受信信号の処理には、たとえば、再送制御や、アンテナユニット１１０の上位装置への受信信号の転送などが含まれる。
【０１１２】
これにより、アンテナユニット１１０，１２０，１３０，１４０の一部のみに制御局１０１が接続される構成においても、制御局１０１はアンテナユニット１１０，１２０，１３０，１４０の複数のアンテナを用いた無線受信を行うことができる。
【０１１３】
（実施の形態にかかるアンテナユニットによる処理）
図１９は、実施の形態にかかるアンテナユニットによる下り信号に関する処理の一例を示すフローチャートである。アンテナユニット１１０は、下り信号に関する処理として、たとえば図１９に示す各ステップを実行する。アンテナユニット１１０による下り信号に関する処理について説明するが、アンテナユニット１２０，１３０，１４０による下り信号に関する処理についても同様である。
【０１１４】
まず、アンテナユニット１１０は、制御局１０１または他ユニットからルータ１１４へパケットが入力されたか否かを判断し（ステップＳ１９０１）、ルータ１１４へパケットが入力されるまで待つ（ステップＳ１９０１：Ｎｏのループ）。たとえば、アンテナユニット１１０の制御局間Ｉ／Ｆ１１１に制御局１０１が接続されている場合は、制御局１０１からのパケットが制御局間Ｉ／Ｆ１１１を介してルータ１１４へ入力される。また、ユニット間Ｉ／Ｆ１１２，１１３に他ユニットが接続されている場合は、他ユニットからのパケットがユニット間Ｉ／Ｆ１１２，１１３を介してルータ１１４へ入力される。
【０１１５】
ステップＳ１９０１において、ルータ１１４へパケットが入力されると（ステップＳ１９０１：Ｙｅｓ）、アンテナユニット１１０は、入力されたパケットの送信先を示す送信先情報を取得する（ステップＳ１９０２）。パケットの送信先情報は、たとえば上述したヘッダ１１１０のアドレス１１１１である。
【０１１６】
つぎに、アンテナユニット１１０は、ステップＳ１９０２によって取得した送信先情報が示す送信先に他ユニットが含まれているか否かを判断する（ステップＳ１９０３）。送信先に他ユニットが含まれていない場合（ステップＳ１９０３：Ｎｏ）は、アンテナユニット１１０は、ステップＳ１９０５へ移行する。送信先に他ユニットが含まれている場合（ステップＳ１９０３：Ｙｅｓ）は、アンテナユニット１１０は、取得した送信先情報と経路表３００（図３参照）に基づいて、ルータ１１４へ入力されたパケットを他ユニットへ転送する（ステップＳ１９０４）。
【０１１７】
つぎに、アンテナユニット１１０は、ステップＳ１９０２によって取得した送信先情報が示す送信先に自ユニットが含まれているか否かを判断する（ステップＳ１９０５）。送信先に自ユニットが含まれていない場合（ステップＳ１９０５：Ｎｏ）は、アンテナユニット１１０は、一連の処理を終了する。送信先に自ユニットが含まれている場合（ステップＳ１９０５：Ｙｅｓ）は、アンテナユニット１１０は、ルータ１１４へ入力されたパケットを通信部１１５により送信し（ステップＳ１９０６）、一連の処理を終了する。
【０１１８】
ステップＳ１９０１〜Ｓ１９０５は、たとえば、ルータ１１４、またはルータ１１４を制御する制御回路によって実行される。ステップＳ１９０６は、たとえば、ルータ１１４、またはルータ１１４を制御する制御回路により、ルータ１１４から通信部１１５へパケットを転送することにより実行される。なお、ステップＳ１９０３，Ｓ１９０４の処理と、ステップＳ１９０５，Ｓ１９０６の処理と、は順序を入れ替えてもよいし、並列処理によって同時に行ってもよい。
【０１１９】
（実施の形態にかかるアンテナユニットによる処理）
図２０は、実施の形態にかかるアンテナユニットによる上り信号に関する処理の一例を示すフローチャートである。アンテナユニット１１０は、上り信号に関する処理として、たとえば図２０に示す各ステップを実行する。アンテナユニット１１０による上り信号に関する処理について説明するが、アンテナユニット１２０，１３０，１４０による上り信号に関する処理についても同様である。
【０１２０】
まず、アンテナユニット１１０は、通信部１１５または他ユニットからルータ１１４へデータが入力されたか否かを判断し（ステップＳ２００１）、ルータ１１４へデータが入力されるまで待つ（ステップＳ２００１：Ｎｏのループ）。たとえば、アンテナユニット１１０のアンテナによってデータが無線受信されると、受信されたデータが通信部１１５からルータ１１４へ入力される。また、他ユニットからアンテナユニット１１０へＵＬのデータ（パケット）が転送されると、転送されたデータがユニット間Ｉ／Ｆ１１２，１１３からルータ１１４へ入力される。
【０１２１】
ステップＳ２００１において、ルータ１１４へデータが入力されると（ステップＳ２００１：Ｙｅｓ）、アンテナユニット１１０は、ルータ１１４へ入力されたデータと合成するデータがあるか否かを判断する（ステップＳ２００２）。ルータ１１４へ入力されたデータと合成するデータは、そのデータとストリーミングＩＤが同じデータであって、そのデータと同じくルータ１１４へ入力されるデータである。合成するデータがあるか否かは、たとえば他ユニットから転送されたパケットに含まれる合成ユニット番号に自ユニットのユニット番号が含まれているか否かにより判断することができる。
【０１２２】
ステップＳ２００２において、合成するデータがない場合（ステップＳ２００２：Ｎｏ）は、アンテナユニット１１０は、ステップＳ２００４へ移行する。合成するデータがある場合（ステップＳ２００２：Ｙｅｓ）は、アンテナユニット１１０は、ルータ１１４へ入力されたデータと、そのデータと合成するデータと、を合成する合成処理を行う（ステップＳ２００３）。
【０１２３】
つぎに、アンテナユニット１１０は、ルータ１１４へ入力されたパケットを経路表に従って他ユニットまたは制御局１０１へ転送し（ステップＳ２００４）、一連の処理を終了する。ステップＳ２００４において転送されるパケットは、ステップＳ２００３が実行された場合はステップＳ２００３による合成処理によって得られたパケットである。ステップＳ２００１〜Ｓ２００４は、たとえば、ルータ１１４、またはルータ１１４を制御する制御回路により実行される。
【０１２４】
なお、アンテナユニット１１０，１２０，１３０，１４０のそれぞれにおいてデータの合成を行うか否かを判断する処理について説明したが、このような処理に限らない。たとえば、アンテナユニット１１０，１２０，１３０，１４０の各ルータは、たとえば同時期に入力されたＵＬの各データに対して常に合成処理を行うようにしてもよい。また、アンテナユニット１１０，１２０，１３０，１４０の各ルータは、たとえば同時期に入力されたＵＬの各データのうちの同一の偏波によって送信されたデータのみを合成する合成処理を行うようにしてもよい。
【０１２５】
（実施の形態にかかる基地局装置の送信信号の例）
図２１および図２２は、実施の形態にかかる基地局装置が単一ユニット／単一アンテナを用いる場合の送信信号の例を示す図である。たとえば図１１に示したように、基地局装置１００が単一ユニットへのストリーム配信と単一アンテナを用いる送信を行う場合は、制御局１０１が送信するパケット（たとえば送信信号１１００）は、たとえば図２１に示す送信信号２１００とすることができる。
【０１２６】
図２１に示す送信信号２１００は、ユニット番号２１１１と、アンテナ番号２１２１と、データ２１３１と、が含まれる。ユニット番号２１１１は、アンテナユニット１１０，１２０，１３０，１４０のうちの送信に使用する単一のアンテナユニットの識別番号である。アンテナ番号２１２１は、ユニット番号２１１１が示すアンテナユニットの各アンテナのうちの送信に使用する単一のアンテナの識別番号である。
【０１２７】
ユニット番号２１１１およびアンテナ番号２１２１は、たとえば図１１に示したヘッダ１１１０に対応する。データ２１３１は、ＤＬによって送信されるユーザデータ（たとえば図１１に示したデータ１１２０）である。
【０１２８】
または、制御局１０１が送信するパケットは、たとえば図２２に示す送信信号２１００のように、図２１に示したアンテナ番号２１２１に代えてアンテナ素子フラグ２２１１を含むようにしてもよい。アンテナ素子フラグ２２１１は、たとえば、ユニット番号２１１１が示すアンテナユニットの各アンテナについて、使用するか否かを示す情報である。
【０１２９】
図２３および図２４は、実施の形態にかかる基地局装置が単一ユニット／複数アンテナを用いる場合の送信信号の例を示す図である。図２３，図２４において、図２１，図２２に示した部分と同様の部分については同一の符号を付して説明を省略する。たとえば図１２に示したように、基地局装置１００が単一ユニットへのストリーム配信と複数アンテナを用いる送信を行う場合は、制御局１０１が送信するパケットは、たとえば図２３に示す送信信号２１００とすることができる。
【０１３０】
図２３に示す送信信号２１００は、図２１に示したアンテナ番号２１２１に代えてアンテナ番号群２３１１とアンテナウェイト情報群２３２１とを含む。アンテナ番号群２３１１は、ユニット番号２１１１が示すアンテナユニットの各アンテナのうちの送信に使用する複数のアンテナの各識別番号である。アンテナウェイト情報群２３２１は、アンテナ番号群２３１１が示す各アンテナに適用する各重み付け係数を示す。
【０１３１】
または、制御局１０１が送信するパケットは、たとえば図２４に示す送信信号２１００のようにしてもよい。図２４に示す送信信号２１００は、図２３に示したアンテナ番号群２３１１およびアンテナウェイト情報群２３２１に代えてアンテナ番号２４１１，２４１２，…，２４１ｎおよびアンテナウェイト情報２４２１，２４２２，…，２４２ｎを含む。アンテナ番号２４１１，２４１２，…，２４１ｎは、ユニット番号２１１１が示すアンテナユニットの各アンテナのうちの送信に使用するｎ本のアンテナの各識別番号である。アンテナウェイト情報２４２１，２４２２，…，２４２ｎは、それぞれアンテナ番号２４１１，２４１２，…，２４１ｎが示すアンテナに適用するｎ個の重み付け係数を示す。
【０１３２】
図２５は、実施の形態にかかる基地局装置が複数ユニット／単一アンテナを用いる場合の送信信号の例を示す図である。図２５において、図２１〜図２４に示した部分と同様の部分については同一の符号を付して説明を省略する。たとえば図１３に示したように、基地局装置１００が複数ユニットへのストリーム配信と単一アンテナを用いる送信を行う場合は、制御局１０１が送信するパケットは、たとえば図２５に示す送信信号２１００とすることができる。
【０１３３】
図２５に示す送信信号２１００は、ユニット番号２１１１，２１１２，…と、アンテナ番号２１２１，２１２２，…と、アンテナウェイト情報２４２１，２４２２，…と、データ２１３１と、を含む。ユニット番号２１１１，２１１２，…は、アンテナユニット１１０，１２０，１３０，１４０のうちの送信に使用する複数のアンテナユニットの識別番号である。アンテナ番号２１２１，２１２２，…は、それぞれユニット番号２１１１，２１１２，…が示すアンテナユニットの各アンテナのうちの送信に使用する単一のアンテナの識別番号である。アンテナウェイト情報２４２１，２４２２，…は、それぞれアンテナ番号２１２１，２１２２，…が示すアンテナに適用する重み付け係数を示す。
【０１３４】
図２６は、実施の形態にかかる基地局装置が複数ユニット／複数アンテナを用いる場合の送信信号の例を示す図である。図２６において、図２１〜図２５に示した部分と同様の部分については同一の符号を付して説明を省略する。たとえば図１４に示したように、基地局装置１００が複数ユニットへのストリーム配信と複数アンテナを用いる送信を行う場合は、制御局１０１が送信するパケットは、たとえば図２６に示す送信信号２１００とすることができる。
【０１３５】
図２６に示す送信信号２１００は、ユニット番号２１１１，２１１２，…と、アンテナ番号群２３１１，２３１２，…と、アンテナウェイト情報群２３２１，２３２２，…と、データ２１３１と、を含む。アンテナ番号群２３１１，２３１２，…は、それぞれユニット番号２１１１，２１１２，…が示すアンテナユニットの各アンテナのうちの送信に使用する複数のアンテナの識別番号である。アンテナウェイト情報群２３２１，２３２２，…は、それぞれアンテナ番号群２３１１，２３１２，…が示す各アンテナに適用する重み付け係数を示す。
【０１３６】
図２１〜図２６において、制御局１０１が送信する送信信号２１００の各例について説明したが、送信信号２１００のフォーマットはこれらに限らない。たとえば、送信信号２１００は、上述した情報に加えて、無線リソース情報などを含んでいてもよい。無線リソース情報は、たとえば、データ２１３１をマッピングする周波数や時間などの無線リソースを示す情報である。無線リソース情報は、たとえばアンテナユニット１１０，１２０，１３０，１４０のそれぞれの通信部において用いられる。
【０１３７】
（実施の形態にかかる基地局装置の受信信号の例）
図２７は、実施の形態にかかる基地局装置が単一ユニットを用いる場合の受信信号の例を示す図である。たとえば図１５に示したように、基地局装置１００が単一アンテナを用いる受信と単一ユニットからのストリーム受取を行う場合は、各アンテナユニットにより転送される受信信号は、たとえば図２７に示す受信信号２７００とすることができる。また、たとえば図１６に示したように、基地局装置１００が複数アンテナを用いる受信と単一ユニットからのストリーム受取を行う場合にも、各アンテナユニットにより転送される受信信号は、たとえば図２７に示す受信信号２７００とすることができる。
【０１３８】
図２７に示す受信信号２７００は、Ｉ／Ｆユニット番号２７１１と、データ２７２１と、を含む。Ｉ／Ｆユニット番号２７１１は、アンテナユニット１１０，１２０，１３０，１４０のうちの制御局１０１と接続（インタフェース）されたアンテナユニットの識別番号である。データ２７２１は、アンテナユニット１１０，１２０，１３０，１４０のいずれかによって受信されたユーザデータである。
【０１３９】
Ｉ／Ｆユニット番号２７１１は、たとえば、アンテナユニット１１０，１２０，１３０，１４０のうちのデータ２７２１を無線受信したアンテナユニットのルータによってデータ２７２１に付加される。
【０１４０】
アンテナユニット１１０，１２０，１３０，１４０のそれぞれは、Ｉ／Ｆユニット番号２７１１および経路表に基づいて、アンテナユニット１１０，１２０，１３０，１４０のうちの制御局１０１と接続されたアンテナユニットへ受信信号２７００を転送する。アンテナユニット１１０，１２０，１３０，１４０のうちの制御局１０１と接続されたアンテナユニットへ受信信号２７００は、転送された受信信号２７００に含まれるデータ２７２１を、上述したデータ１５１０として制御局１０１へ送信する。
【０１４１】
図２８は、実施の形態にかかる基地局装置が複数ユニットを用いる場合の受信信号の例を示す図である。図２８において、図２７に示した部分と同様の部分については同一の符号を付して説明を省略する。たとえば図１７に示したように基地局装置１００が単一アンテナを用いる受信と複数ユニットからのストリーム受取を行う場合は、各アンテナユニットにより転送される受信信号は、たとえば図２８に示す受信信号２７００とすることができる。また、たとえば図１８に示したように基地局装置１００が複数アンテナを用いる受信と複数ユニットからのストリーム受取を行う場合にも、各アンテナユニットにより転送される受信信号は、たとえば図２８に示す受信信号２７００とすることができる。
【０１４２】
図２８に示す受信信号２７００は、Ｉ／Ｆユニット番号２７１１と、ストリームＩＤ２８１１と、合成ユニット番号２８２１，２８２２，…と、データ２７２１と、を含む。ストリームＩＤ２８１１は、データ２７２１のストリームの識別子である。
【０１４３】
合成ユニット番号２８２１，２８２２，…は、アンテナユニット１１０，１２０，１３０，１４０のうちのデータ２７２１を合成するアンテナユニットの識別番号である。データ２７２１を合成するアンテナユニットとは、ストリームＩＤ２８１１が同じデータ２７２１を含む受信信号２７００が複数入力されるアンテナユニットである。
【０１４４】
アンテナユニット１１０，１２０，１３０，１４０のそれぞれは、合成ユニット番号２８２１，２８２２，…に自局のユニット番号が含まれていた場合は、自局が合成処理を行うアンテナユニットであると判断することができる。合成処理を行うアンテナユニットは、ストリームＩＤ２８１１が同じ複数の受信信号２７００の入力を待ち、入力された複数の受信信号２７００を合成（加算）して転送する。このとき、合成処理を行うアンテナユニットは、合成ユニット番号２８２１，２８２２，…のうちの自局のユニット番号を削除して受信信号２７００を転送してもよい。
【０１４５】
また、図２７，図２８に示したＩ／Ｆユニット番号２７１１に代えて、上述したように送信先アドレスとして制御局１０１のアドレス「１．１」を受信信号２７００に付加するようにしてもよい。この場合は、アンテナユニット１１０，１２０，１３０，１４０のそれぞれは、制御局１０１のアドレス「１．１」および経路表に基づいて受信信号２７００を制御局１０１へ転送する。
【０１４６】
また、図２７，図２８において、各アンテナユニットが転送する受信信号２７００の各例について説明したが、受信信号２７００のフォーマットはこれらに限らない。たとえば、受信信号２７００は、上述した情報に加えてユーザ等を示す情報を含んでいてもよい。
【０１４７】
（実施の形態にかかるアンテナユニットと制御局との間の接続の他の例）
図２９は、実施の形態にかかるアンテナユニットと制御局との間の接続の他の例を示す図である。図２９において、図１に示した部分と同様の部分については同一の符号を付して説明を省略する。たとえば図１に示す例では制御局１０１と制御局間Ｉ／Ｆ１２１とを信号線１０２により接続する構成について説明したが、制御局１０１は制御局間Ｉ／Ｆ１１１，１２１，１３１，１４１のうちの複数の制御局間Ｉ／Ｆと接続されていてもよい。図２９に示す例では、制御局１０１は、信号線１０２を介して制御局間Ｉ／Ｆ１２１と接続され、さらに信号線２９０１を介して制御局間Ｉ／Ｆ１３１と接続されている。
【０１４８】
この場合は、アンテナユニット１２０およびアンテナユニット１３０が、制御局１０１と直接接続されたマスタユニットとなる。このように、基地局装置１００において伝送するデータのスループットに応じて、アンテナユニット１１０，１２０，１３０，１４０と制御局１０１との間の信号線の数を増減させることができる。また、物理的な信号線の数に限らず、たとえば制御局１０１における論理的な通信回線の数を増減させてもよい。
【０１４９】
また、アンテナユニット１１０，１２０，１３０，１４０のそれぞれにＢＢ部を設け、アンテナユニット１１０，１２０，１３０，１４０においてビームフォーミングのプリコードを行う構成について説明したが、このような構成に限らない。たとえば、アンテナユニット１１０，１２０，１３０，１４０にＢＢ部を設けずに、アンテナユニット１１０，１２０，１３０，１４０のプリコードなどのベースバンド処理を制御局１０１において行う構成としてもよい。
【０１５０】
また、ユニット番号およびアンテナ番号の組み合わせによってルーチングを行う構成について説明したが、このような構成に限らない。たとえば、アンテナユニット１１０，１２０，１３０，１４０の全てのアンテナにユニークなアンテナ番号を付加し、アンテナ番号のみでルーチングを行う構成としてもよい。すなわち、上述した送信先アドレスは、送信先のアンテナを特定可能な識別情報であればよい。
【０１５１】
このように、実施の形態にかかる基地局装置によれば、複数のアンテナユニットのうちの一部のアンテナユニットのみを信号線により制御局と接続し、制御局は信号線およびアンテナユニット間の通信路を介して無線通信を行う構成とすることができる。これにより、基地局装置における自由度の高いアンテナ構成が可能になる。
【０１５２】
たとえば、複数のアンテナユニットのうちの制御局と直接接続されていないアンテナユニットは、容易に取り外すことが可能である。また、既存のアンテナユニットに対して新たなアンテナユニットを接続することで、新たなアンテナユニットを制御局と接続しなくてもよいため、アンテナユニットを容易に増設することができる。このため、基地局装置が設置される環境やセル設計等に応じて設定された基地局装置の性能に応じて、アンテナの数、配置、密集度などのアンテナ構成の柔軟な設定が可能になる。また、基地局装置の利用状況等に応じたアンテナ構成の柔軟な変更が可能になる。
【０１５３】
また、複数のアンテナユニットにより実現されるアンテナ装置と制御局とを接続する信号線は、複数のアンテナユニットのうちの一部のアンテナユニットにのみ接続すればよいため、基地局装置における配線を簡易化することができる。
【０１５４】
また、アンテナユニットのそれぞれに、他のアンテナユニットと接続可能なインタフェースを複数設けておくことで、複数のアンテナユニットの組み合わせによって様々なアンテナ構成を実現できるため、アンテナユニットの汎用性を高めることができる。このため、基地局装置の製造コストや設計コストの低減を図ることができる。
【０１５５】
この場合に、複数のアンテナユニットは、複数のインタフェースのうちの他のアンテナユニットと接続されたインタフェースおよびルータによって通信路を形成することができる。また、複数のアンテナユニットのそれぞれに、制御局と通信可能な制御局間Ｉ／Ｆを設けておくことで、複数のアンテナユニットのうちのいずれのアンテナユニットにも制御局を接続することが可能になる。ただし、複数のアンテナユニットの全てに制御局間Ｉ／Ｆを設けずに、少なくとも制御局と接続するアンテナユニットのみに制御局間Ｉ／Ｆを設ける構成としてもよい。
【０１５６】
以上説明したように、基地局装置および通信制御方法によれば、自由度の高いアンテナ構成を実現することができる。自由度の高いアンテナ構成を実現することで、たとえば自由度の高いセル構成が可能になる。
【０１５７】
たとえば、近年、５Ｇ（第５世代移動通信システム）の研究開発が進められている。５Ｇにおいては、データ伝送の高速化に伴い、制御局と光張出しＲＲＨとの間をつなぐ信号線のデータ量が増加することになる。一方で、マッシブアンテナと呼ばれる多数のアンテナ素子で構成されるアンテナが検討されているが、従来とは異なるアンテナ構成であり、実用化に向けた技術開発が求められている。
【０１５８】
たとえば、マッシブアンテナにおいてはアンテナの数、配置、密度など様々なアンテナ構成が有り得るが、たとえばＲＲＨ（アンテナユニット）とＢＢＵ（制御局）をそれぞれ接続する従来技術においては自由度の高いアンテナ構成を実現することができなかった。
【０１５９】
これに対して、上述した実施の形態によれば、複数のアンテナユニットを互いに接続し、そのうちの一部のアンテナユニットのみを信号線により制御局と接続し、制御局は信号線およびアンテナ装置間の通信路を用いて無線通信を行う構成とすることができる。これにより、自由度の高いアンテナ構成が可能になる。
【０１６０】
たとえば、任意のアンテナ構成による無線信号の送受信や、任意のアンテナ構成によるＭＩＭＯ多重およびビームフォーミングなどを低コストで実現することができる。また、複数のアンテナユニットにより伝送される情報量に応じて、アンテナユニットと制御局との間の信号線の論理的または物理的な数を変更することができる。
【０１６１】
上述した実施の形態に関し、さらに以下の付記を開示する。
【０１６２】
（付記１）それぞれアンテナを有する複数のアンテナユニットと、
前記複数のアンテナユニットを互いに通信可能とする通信路と、
前記複数のアンテナユニットのうちの一部のアンテナユニットと信号線を介して接続され、前記信号線および前記通信路を用いて、前記複数のアンテナユニットの前記アンテナのうちの少なくともいずれかによる無線通信を行う制御局と、
を含むことを特徴とする基地局装置。
【０１６３】
（付記２）前記複数のアンテナユニットのそれぞれは、他のアンテナユニットと接続可能な複数のインタフェースと、前記複数のインタフェースと接続されたルータと、を有し、
前記通信路は、前記複数のアンテナユニットのそれぞれが前記複数のインタフェースのうちの他のアンテナユニットと接続されたインタフェースおよび前記ルータによりルーチングを行うことによって形成される、
ことを特徴とする付記１に記載の基地局装置。
【０１６４】
（付記３）前記複数のアンテナユニットのうちの少なくとも前記一部のアンテナユニットは、前記複数のインタフェースと異なるインタフェースであって前記制御局と信号線を介して接続可能なインタフェースを有し、前記ルータが前記異なるインタフェースと接続されていることを特徴とする付記２に記載の基地局装置。
【０１６５】
（付記４）前記制御局は、前記無線通信によって送信するデータを含む送信信号を、前記信号線および前記通信路を用いて、前記複数のアンテナユニットのうちの前記無線通信の送信に用いるアンテナを有するアンテナユニットへ送信し、
前記無線通信の送信に用いるアンテナを有するアンテナユニットは、前記制御局から送信された送信信号に含まれる前記データを自ユニットの前記アンテナから無線送信する、
ことを特徴とする付記１〜３のいずれか一つに記載の基地局装置。
【０１６６】
（付記５）前記制御局は、前記データと、前記無線通信の送信に用いるアンテナを特定可能な識別情報と、を含む前記送信信号を送信し、
前記複数のアンテナユニットは、前記送信信号を、前記識別情報に基づくルーチングによって、前記無線通信の送信に用いるアンテナを有するアンテナユニットへ転送する、
ことを特徴とする付記４に記載の基地局装置。
【０１６７】
（付記６）前記無線通信は、前記複数のアンテナユニットの前記アンテナのうちの複数のアンテナを同時に用いた無線送信であり、
前記制御局は、前記複数のアンテナを特定可能な識別情報を含む前記送信信号を送信する、
ことを特徴とする付記５に記載の基地局装置。
【０１６８】
（付記７）前記複数のアンテナユニットのうちの前記無線通信の受信に用いるアンテナを有するアンテナユニットは、自ユニットの前記アンテナにより無線受信した受信信号を、前記通信路および前記信号線を用いて前記制御局へ送信し、
前記制御局は、前記無線通信の受信に用いるアンテナを有するアンテナユニットから送信された前記受信信号の処理を行う、
ことを特徴とする付記１〜６のいずれか一つに記載の基地局装置。
【０１６９】
（付記８）前記無線通信は、前記複数のアンテナユニットの前記アンテナのうちの複数のアンテナを同時に用いた無線受信であり、
前記複数のアンテナユニットは、前記受信信号を、前記制御局または前記一部のアンテナユニットを送信先とするルーチングを用いて前記制御局へ転送し、
前記複数のアンテナユニットのうちの、前記複数のアンテナに含まれる各アンテナによって同時に受信された複数の受信信号が入力されるアンテナユニットは、前記複数の受信信号を合成し、合成した受信信号を前記制御局へ転送する、
ことを特徴とする付記７に記載の基地局装置。
【０１７０】
（付記９）前記複数のアンテナユニットは、前記アンテナを複数有するアンテナユニットを含むことを特徴とする付記１〜８のいずれか一つに記載の基地局装置。
【０１７１】
（付記１０）前記アンテナを複数有するアンテナユニットは、自ユニットの各アンテナによる無線通信を制御するベースバンド処理部を有することを特徴とする付記９に記載の基地局装置。
【０１７２】
（付記１１）前記制御局は、前記複数のアンテナユニットの前記アンテナのうちの複数のアンテナを用いた前記無線通信を制御することを特徴とする付記１〜１０のいずれか一つに記載の基地局装置。
【０１７３】
（付記１２）それぞれアンテナを有する複数のアンテナユニットと、前記複数のアンテナユニットのうちの一部のアンテナユニットと信号線を介して接続された制御局と、を含む基地局装置による通信制御方法であって、
前記複数のアンテナユニットが、ルーチングにより互いに通信可能な通信路を形成し、
前記制御局が、前記信号線および前記通信路を用いて、前記複数のアンテナユニットの前記アンテナのうちの少なくともいずれかによる無線通信を制御する、
ことを特徴とする通信制御方法。
【符号の説明】
【０１７４】
１００  基地局装置
１０１  制御局
１０２，２９０１  信号線
１１０，１２０，１３０，１４０  アンテナユニット
１１１，１２１，１３１，１４１  制御局間Ｉ／Ｆ
１１２，１１３，１２２，１２３，１３２，１３３，１４２，１４３  ユニット間Ｉ／Ｆ
１１４，１２４，１３４，１４４，７００  ルータ
１１５，１２５，１３５，１４５  通信部
１１６，１２６，１３６，１４６，２１５〜２１７，２２５〜２２７，２３５〜２３７，２４５〜２４７  アンテナ
２１１，２２１，２３１，２４１，９００  ＢＢ部
２１２〜２１４，２２２〜２２４，２３２〜２３４，２４２〜２４４  ＲＦ部
３００，４００，５００，６００  経路表
７１０  アドレス解釈部
７２０  ルーチングテーブル部
７３０  アドレス等変換部
７４０  出力ポート決定部
８１０  信号ＩＤ解釈部
８２０  信号合成管理テーブル部
８３０  データ合成処理部
８４０  出力パケット生成部
９１０  制御信号解釈部
９２０  アンテナ選択・分配部
９３０  アンテナ重み付け部
１０１０  アンテナ重み付け合成部
１０２０  アンテナ選択・合成部
１０３０  制御信号付加部
１０４０  ビームフォーミング制御部
１１００，２１００  送信信号
１１１０  ヘッダ
１１１１  アドレス
１１１２  ウェイト
１１２０，１５１０，２１３１，２７２１  データ
１５００，２７００  受信信号
２１１１，２１１２  ユニット番号
２１２１，２１２２，２４１１，２４１２，…，２４１ｎ  アンテナ番号
２２１１  アンテナ素子フラグ
２３１１，２３１２  アンテナ番号群
２３２１，２３２２  アンテナウェイト情報群
２４２１，２４２２，…，２４２ｎ  アンテナウェイト情報
２７１１  Ｉ／Ｆユニット番号
２８１１  ストリームＩＤ
２８２１，２８２２，…  合成ユニット番号
【国際調査報告】
2017126075.tif 000032
2017126075.tif 000033